(57)【要約】【課題】利用者や使用地域等に応じて装置の利用を制限することができる紙葉類処理システム、及び紙葉類処理方法を提供することである。【解決手段】紙葉類処理システムは、自装置を識別する識別情報を、ネットワークを介して接続されている保守サーバに送信し、保守サーバから受信した制御指示に応じて、自装置の動作を制御する紙葉類処理装置と、紙葉類処理装置の識別情報を取得し、取得した識別情報に基づいて紙葉類処理装置の動作を制御するための制御指示を、ネットワークを介して紙葉類処理装置に送信する前記保守サーバと、を備える。【選択図】図１
2015056062.tif 000002
【特許請求の範囲】
【請求項１】
自装置を識別する識別情報を、ネットワークを介して接続されている保守サーバに送信し、保守サーバから受信した制御指示に応じて、自装置の動作を制御する紙葉類処理装置と、
前記紙葉類処理装置の前記識別情報を取得し、取得した該識別情報に基づいて該紙葉類処理装置の動作を制御するための前記制御指示を、前記ネットワークを介して該紙葉類処理装置に送信する前記保守サーバと、
を備える紙葉類処理システム。
【請求項２】
前記保守サーバは、
取得した前記識別情報に基づいて前記紙葉類処理装置の使用状態を判別し、判別した前記使用状態に応じて前記紙葉類処理装置の動作を制限するための制限レベルを決定し、決定した前記制限レベルに該紙葉類処理装置を制御する前記制御指示を送信する
請求項１に記載の紙葉類処理システム。
【請求項３】
前記保守サーバは、
前記識別情報と、前記紙葉類処理装置に対する保守サービス契約が結ばれているか否かを示す保守情報とが関連付けられた情報を記憶する記憶部を備え、
取得した前記識別情報と前記記憶部に記憶している前記保守情報とに基づいて、取得した前記識別情報に対応する前記紙葉類処理装置が、前記保守サービス契約が結ばれているか否かを判別し、判別した結果、該保守サービス契約が結ばれていない場合、該紙葉類処理装置の動作を制限する前記制御指示を送信する
請求項１または請求項２に記載の紙葉類処理システム。
【請求項４】
当該紙葉類処理システムは、
前記紙葉類処理装置が計数した紙葉類の情報を集計する集計サーバを備え、
前記保守サーバは、
前記保守サービス契約が結ばれていない場合、前記紙葉類処理装置と前記集計サーバとの通信を遮断するように動作を制限する前記制御指示を送信し、
請求項３に記載の紙葉類処理システム。
【請求項５】
前記紙葉類処理装置は、
ネットワークを介して前記集計サーバと接続される第１通信ポートと、
ネットワークを介して前記保守サーバと接続される第２通信ポートと、を備え、
前記保守サーバは、
前記保守サービス契約が結ばれていない前記紙葉類処理装置の前記第１通信ポートを遮断する前記制御指示を送信する
請求項４に記載の紙葉類処理システム。
【請求項６】
前記保守サーバは、
前記保守サービス契約が結ばれていない前記紙葉類処理装置に、保守サービス契約が結ばれていないことを示す情報を報知する
請求項３から請求項５のいずれか１項に記載の紙葉類処理システム。
【請求項７】
紙葉類処理装置が、電源がオン状態になった後に、自装置を識別する識別情報を、ネットワークを介して接続されている保守サーバに送信する手順と、
保守サーバが、前記紙葉類処理装置から送信された前記識別情報を取得し、取得した前記識別情報に基づいて、該紙葉類処理装置の動作を制御するための制御指示を生成する手順と、
前記保守サーバが、生成した前記制御指示を、前記ネットワークを介して送信する手順と、
前記紙葉類処理装置が、前記保守サーバから受信した前記制御指示に応じて、自装置の動作を制御する手順と、
を含む紙葉類処理方法。
【発明の詳細な説明】
【技術分野】
【０００１】
本発明の実施形態は、紙葉類処理システム、及び紙葉類処理方法に関する。
【背景技術】
【０００２】
従来、例えば紙幣などの紙葉類の計数及び判別を行う紙葉類処理装置が実用化されている（例えば、特許文献１参照）。また、紙葉類処理装置によっては、使用が禁止されている国や地域もある。
【先行技術文献】
【特許文献】
【０００３】
【特許文献１】特開２００１−６７５２２号公報
【発明の概要】
【発明が解決しようとする課題】
【０００４】
しかしながら、上記の紙葉類処理装置では、装置にユーザＩＤ（識別情報）とパスワードを入力すれば、紙葉類処理装置の利用者は、ほぼ全ての機能を利用することができる。このため、紙葉類処理装置が、好ましくない利用者（例えば、使用が禁止されている国や地域で紙葉類処理装置を使用する利用者）に利用されてしまうことを制限することができないという課題がある。
【０００５】
本発明が解決しようとする課題は、利用者や使用地域等に応じて装置の利用を制限することができる紙葉類処理システム、及び紙葉類処理方法を提供することである。
【課題を解決するための手段】
【０００６】
実施形態の紙葉類処理システムは、紙葉類処理装置と保守サーバとを持つ。前記紙葉類処理装置は、自装置を識別する識別情報を、ネットワークを介して接続されている保守サーバに送信し、保守サーバから受信した制御指示に応じて、自装置の動作を制御する。前記保守サーバは、前記紙葉類処理装置の前記識別情報を取得し、取得した該識別情報に基づいて該紙葉類処理装置の動作を制御するための前記制御指示を、前記ネットワークを介して該紙葉類処理装置に送信する。
【図面の簡単な説明】
【０００７】
【図１】第１実施形態に係る紙幣処理システムのシステム構成を概略的に示す図である。
【図２】第１実施形態に係る紙幣処理システムの保守サーバを概略的に示すブロック図である。
【図３】第１実施形態に係る紙幣処理システムの記憶部に記憶される情報の一例を説明する図である。
【図４】第１実施形態に係る紙幣処理システムの保守サーバから紙葉類処理装置に送信される制御指示の一例を説明する図である。
【図５】第１実施形態に係る紙幣処理システムにおける紙幣処理装置の全体構成を概略的に示す断面図である。
【図６】第１実施形態に係る紙幣処理システムにおける紙幣処理装置のメインモジュール、装填モジュール、施封モジュールを拡大して示す断面図である。
【図７】第１実施形態に係る紙幣処理システムにおける紙幣処理装置を概略的に示すブロック図である。
【図８】第１実施形態に係る紙幣処理システムにおける紙幣処理装置の供給部を示す斜視図である。
【図９】第１実施形態に係る紙幣処理システムにおける紙幣処理装置の供給部の断面図である。
【図１０Ａ】鉛直方向に対して支持面が角度＝２０度、傾斜している場合を示す図である。
【図１０Ｂ】鉛直方向に対して支持面が角度＝３０度、傾斜している場合を示す図である。
【図１１】第１実施形態に係る紙幣処理システムにおける紙幣処理装置に用いるバッチカードを示す平面図である。
【図１２】第１実施形態に係る紙幣処理システムにおける紙幣処理装置の取出し機構および搬送路を拡大して示す断面図である。
【図１３】第１実施形態に係る紙幣処理システムにおける紙幣処理装置の搬送路の最下部および吸気ファンを示す断面図である。
【図１４Ａ】第１実施形態に係る紙幣処理システムにおける紙幣処理装置の自動取引装置（ＡＴＭ）の一例を示す斜視図である。
【図１４Ｂ】第１実施形態に係る紙幣処理システムにおける紙幣処理装置の自動取引装置（ＡＴＭ）の一例を示す斜視図である。
【図１５】第１実施形態に係る紙幣処理システムにおける紙幣処理装置の装填モジュールの整列機構を示す側面図である。
【図１６】第１実施形態に係る紙幣処理システムにおける紙幣処理装置の整列機構を示す斜視図である。
【図１７】第１実施形態に係る紙幣処理システムにおける紙幣処理装置の整列機構を示す平面図である。
【図１８】第１実施形態に係る紙幣処理システムにおける紙幣処理装置の整列機構の紙幣整列動作を示す平面図である。
【図１９Ａ】第１実施形態に係る紙幣処理システムにおける施封モジュールの調整機構を示す平面図である。
【図１９Ｂ】第１実施形態に係る紙幣処理システムにおける施封モジュールの調整機構を示す平面図である。
【図２０】第１実施形態に係る紙幣処理システムにおける施封モジュールにより施封された１００枚の紙幣束（小束）を示す図である。
【図２１Ａ】複数の小束を積層し、結束された紙幣大束を示す斜視図である。
【図２１Ｂ】複数の小束を積層し、結束された紙幣大束を示す斜視図である。
【図２２】第１実施形態に係る紙幣処理装置におけるバッチカードのデータを用いて紙幣処理を管理するバッチカードシステムの一例を概略的に示す図である。
【図２３】第１実施形態に係る紙幣処理システムにおける紙幣処理装置の動作の処理手順のフローチャートである。
【図２４】第１実施形態に係る紙幣処理システムにおける保守サーバの動作の処理手順のフローチャートである。
【図２５】第１実施形態に係る紙幣処理システムにおける保守サービス契約が結ばれているときにモニタ上に表示される情報の一例を示す図である。
【図２６】第１実施形態に係る紙幣処理システムにおける保守サービス契約が結ばれていないときにモニタ上に表示される情報の一例を示す図である。
【図２７】第２実施形態に係る紙幣処理システムのシステム構成を概略的に示す図である。
【図２８】第２実施形態に係る紙幣処理システムの保守サーバを概略的に示すブロック図である。
【図２９】第２実施形態に係る紙幣処理システムの紙葉類処理装置を概略的に示すブロック図である。
【図３０】第２実施形態に係る紙幣処理システムにおける紙幣処理装置の動作の処理手順のフローチャートである。
【図３１】第２実施形態に係る紙幣処理システム２における保守サーバの動作の処理手順のフローチャートである。
【図３２】第２実施形態に係る紙幣処理システムのモニタ上に表示される装置の使用が許可されていない国や地域であることを警告する情報の一例を示す図である。
【発明を実施するための形態】
【０００８】
以下、図面を参照しながら紙葉類処理システム（紙幣処理システム）の種々の実施形態について、詳細に説明する。
（第１実施形態）
図１は、第１実施形態に係る紙葉類処理システム１のシステム構成を概略的に示す図である。なお、第１実施形態では、紙葉類処理システム１の例として紙幣を処理する例を説明する。
図１に示すように、紙葉類処理システム１は、紙幣処理装置２−１〜２−ｎ（ｎは１以上の整数）、集計サーバ３、及び保守サーバ４を備えている。なお、紙幣処理装置２−１〜２−ｎのうち、特定しない場合は、単に紙幣処理装置２という。また、紙幣処理装置２と集計サーバ３とは、ネットワーク５を介して接続されている。さらに、紙幣処理装置２と保守サーバ４とは、ネットワーク６を介して接続されている。
なお、図１に示した例では、紙幣処理装置２が複数の例を示しているが、紙幣処理装置２は、１つ以上であればよい。また、ネットワーク５及びネットワーク６は、有線ネットワークであっても無線ネットワークであってもよい。
【０００９】
ネットワーク５は、紙幣処理装置２と集計サーバ３とを接続するネットワークである。紙幣処理装置２と集計サーバ３とは、例えば紙幣処理装置２が利用される部屋または建物内に施設されている。ネットワーク５は、例えば、ＴＣＰ／ＩＰプロトコルによるイントラネット（Ｉｎｔｒａｎｅｔ）である。
【００１０】
ネットワーク６は、紙幣処理装置２と保守サーバ４とを接続するネットワークである。紙幣処理装置２と保守サーバ４とは、異なる建物内に施設されている。ネットワーク６は、例えば、ＴＣＰ／ＩＰプロトコルによるインターネット（Ｉｎｔｅｒｎｅｔ）である。
【００１１】
紙幣処理装置２は、装置に投入された紙幣の判別及び計数を行う。なお、判別処理等については後述する。紙幣処理装置２は、計数した金額を示す計数金額情報を、ネットワーク５を介して集計サーバ３に送信する。
また、紙幣処理装置２は、電源がオン状態になったとき、自装置を識別する識別情報を、ネットワーク６を介して保守サーバ４に送信する。なお、識別情報は、例えば、紙幣処理装置２が備える通信ポートのＭＡＣアドレス（Ｍｅｄｉａ  Ａｃｃｅｓｓ  Ｃｏｎｔｒｏｌ  ａｄｄｒｅｓｓ）、装置の製造番号、モジュール毎の製造番号、モジュール毎に予め割り当てられている番号等である。また、識別情報には、紙幣処理装置２の型番を示す情報が含まれていてもよい。
また、紙幣処理装置２は、ネットワーク６を介して保守サーバ４が送信した制御指示を受信し、受信した制御指示に応じて自装置を制御する。なお、制御指示には、例えば、電源をオフ状態にする指示、ネットワーク５との接続されている通信ポートを遮断する指示、使用回数または使用時間を制限する指示等が含まれている。
【００１２】
集計サーバ３は、ネットワーク５を介して紙幣処理装置２が送信した計数金額情報を受信する。集計サーバ３は、利用者によって入力された金額を示す入力金額情報と、受信した計数金額情報とを比較し、比較した結果を報知する。例えば、集計サーバ３が表示部を備えている場合、集計サーバ３は、比較した結果を示す情報を表示部に表示させる。または、集計サーバ３がプリンタを備えている場合、集計サーバ３は、比較した結果を示す情報をプリンタに印刷させる。
【００１３】
保守サーバ４は、ネットワーク６を介して紙幣処理装置２が送信した識別情報を取得し、取得した識別情報を、保守サーバ４が備える記憶部に記憶させる。なお、紙幣処理装置２の識別情報は、保守サーバ４の管理者または利用者が入力して、記憶部に記憶させるようにしてもよい。または、記憶部には、予め複数の紙幣処理装置２に対応する識別情報が記憶されていてもよい。
【００１４】
保守サーバ４は、受信した識別情報と記憶部に記憶されている情報とに基づいて、受信した識別情報に対応する紙幣処理装置２の使用状態を判別する。なお、紙幣処理装置２の使用状態とは、例えば、紙幣処理装置２の使用が許可されている国や地域で使用されている状態、紙幣処理装置２の使用が許可されていない国や地域で使用されている状態、紙幣処理装置２の保守サービス契約が結ばれていて使用されている状態、保守サービス契約が結ばれているが契約が更新されずに使用されている状態、保守サービス契約が結ばれていない状態等である。なお、保守サービスとは、例えば、紙幣処理装置２に対応する最新のプログラムの提供、稼働時間に応じたメンテナンスを促す情報の提供等を行うサービスである。
【００１５】
保守サーバ４は、保守サービス契約が行われているか否かを示す保守情報を、識別情報と関連付けて記憶部に記憶させる。保守サーバ４は、識別情報を受信した場合、受信した識別情報に対応する紙幣処理装置２に対して、保守サービス契約が結ばれているか否かを記憶部に記憶されている情報に基づいて判別する。そして、保守サーバ４は、判別した結果に基づいて、紙幣処理装置２の使用状態を判別する。
保守サーバ４は、判別した使用状態に応じて紙幣処理装置２の動作を制限するための制限レベルを決定し、決定した制限レベルに紙幣処理装置２を制御する制御指示を生成する。そして、保守サーバ４は、ネットワーク６を介して、生成した制御指示を紙幣処理装置２に送信する。
【００１６】
なお、制限レベルとは、紙幣処理装置２の動作を制限する度合いであり、例えば、制限レベルが高いほど制限が強く、制限レベルが低いほど制限が弱い。
例えば、制限レベルが１〜４の４段階の場合、例えば、保守サービス契約が結ばれていても、契約が更新されていず、契約が切れてから経過した時間が所定の時間以内（例えば、一週間）である使用状態のとき、保守サーバ４は、最も制限レベルが低い制限レベル１であると判別する。そして、保守サーバ４は、制限レベル１に対応する制御指示として、保守サービス契約を結ぶことを促す報知を行う制御指示を送信する。
【００１７】
また、保守サーバ４は、例えば、使用が許可されていない国や地域で紙幣処理装置２が使用されている使用状態のとき、最も制限レベルが高い制限レベル４であると判別する。そして、保守サーバ４は、制限レベル４に対応する制御指示として、電源をオフ状態にする制御指示を送信する。
【００１８】
図２は、第１実施形態に係る紙葉類処理システム１の保守サーバ４を概略的に示すブロック図である。図２に示すように、保守サーバ４は、通信ポート４０１、保守制御部４０２、及び記憶部４０３を備えている。
通信ポート４０１は、ネットワーク６を介して紙幣処理装置２から受信した情報を、保守制御部４０２に出力する。なお、紙幣処理装置２から受信した情報には、前述したように装置の識別情報、装置の使用状態に関する使用状態情報等が含まれている。通信ポート４０１は、保守制御部４０２が出力した制御指示を、ネットワーク６を介して紙幣処理装置２に送信する。
【００１９】
保守制御部４０２は、通信ポート４０１から入力された情報を記憶部４０３に記憶させる。保守制御部４０２は、受信した情報の中から識別情報を抽出し、抽出した識別情報と記憶部４０３に記憶されている情報とに基づいて、受信した識別情報に対応する紙幣処理装置２が保守サービス契約を結んでいるか否かを判別する。
また、保守制御部４０２は、受信した情報に含まれる使用状態情報を抽出する。保守制御部４０２は、抽出した使用状態情報、及び保守サービス契約を結んでいるか否かを判別した結果に基づいて、制御指示を生成する。保守制御部４０２は、生成した制御指示を通信ポート４０１に出力する。
【００２０】
なお、保守制御部４０２は、例えば紙幣処理装置２へのログインのときに利用者によって入力されたユーザ名をネットワーク６と通信ポート４０１とを介して取得し、取得したユーザ名に基づいてオペレータ（操作員）を判別するようにしてもよい。そして、保守制御部４０２は、判別したユーザ名毎に、受信した情報に基づいてエラー率を算出するようにしてもよい。
【００２１】
記憶部４０３は、図３に示すように、識別情報、装置の型番を示す情報、保守サービス契約に関する情報（保守情報）、プログラムのバージョンを示す情報、稼働時間を示す情報、処理枚数を示す情報、装置の処理結果を示す情報、エラー情報、操作員毎の生産性に関する情報、顧客の生産性に関する情報等が関連付けられた情報を記憶する。また、記憶部４０３には、予め装置の型番毎に、最新のアプリケーションのバージョンを示す情報が記憶されている。図３は、第１実施形態に係る紙葉類処理システム１の記憶部４０３に記憶される情報の一例を説明する図である。
なお、記憶部４０３に記憶される情報は、装置の管理者や操作員によって入力された情報であってもよい。または、予め作成された情報が、記憶部に予め記憶されていてもよい。
【００２２】
識別情報は、紙幣処理装置２が送信した装置を識別する情報である。
装置の型番を示す情報は、紙幣処理装置２の型番、紙幣処理装置２が備えるモジュールの型番等を示す情報である。
保守サービス契約に関する情報は、紙幣処理装置２の保守サービス契約が結ばれている（契約有り）ことを示す情報、結ばれていない（契約無し）ことを示す情報、契約が結ばれているが更新されていない（契約更新無し）ことを示す情報を含む。
プログラムのバージョンを示す情報は、紙幣処理装置２に組み込まれているプログラムのバージョンを示す情報である。なお、プログラムのバージョンは、モジュール毎にプログラムが組み込まれている場合、モジュール毎のバージョンを示す情報であってもよい。
【００２３】
稼働時間を示す情報は、紙幣処理装置２の合計稼働時間を示す情報である。なお、稼働時間は、日付毎の使用された稼働時間であってもよい。また、紙幣処理装置２に対する定期点検が行われた場合、この稼働時間は、メンテナンスを行った作業者によって０時間にリセットされてもよい。
処理枚数を示す情報は、紙幣処理装置２が処理した紙幣の合計枚数を示す情報である。なお、処理枚数は、日付毎の処理枚数であってもよい。
処理結果を示す情報は、例えば、日付毎の集計された金額を示す情報である。
【００２４】
エラー情報は、紙幣処理装置２の稼働中に発生したエラー内容を示す情報である。エラー情報は、例えば、発生したエラー内容と、発生した日時とか関連付けられた情報である。
操作員毎の生産性に関する情報は、紙幣処理装置２を操作した操作員毎の生産性を示す情報である。操作員毎の生産性に関する情報は、例えば、紙幣処理装置２を操作した操作員毎の装置のエラー率を示す値である。なお、操作員毎のエラー情報は、紙幣処理装置２が生成し、生成したエラー情報を、ネットワーク６を介して保守サーバ４に送信するようにしてもよい。
顧客の生産性に関する情報は、紙幣処理装置２の生産性を示す情報である。顧客の生産性に関する情報は、例えば、紙幣処理装置２の稼働時間内に発生したエラー率の平均値である。
【００２５】
図３に示すように、例えば、識別情報が「Ｘ１」の情報には、以下のような情報が関連付けられて記憶されている。関連付けて記憶されている情報は各々、装置の型番を示す情報が「Ａ０１」、保守サービス契約に関する情報が「契約有り」、プログラムのバージョンを示す情報が「２．１０」、装置の稼働時間を示す情報が「１００時間」、処理枚数を示す情報が「４００万枚」、装置の処理結果を示す情報が「２０１２．１２．１  集計金額Ｙ１、…」、エラー情報が「２０１２．１２．１  リジェクト券１５枚、…」、操作員毎の生産性に関する情報が「操作員Ａ１  エラー率０．１％、操作員Ａ２  エラー率０．２％、…」、顧客の生産性に関する情報が「平均エラー率０．１２％」である。
保守制御部４０２は、このように記憶部４０３に識別情報と関連付けられて記憶されている情報に基づいて、例えば、紙幣処理装置２への定期メンテナンス、部品の検査を促す情報を生成して、通信ポート４０１とネットワーク６を介して生成した情報を制御指示に含めて紙幣処理装置２に送信する。
【００２６】
図４は、第１実施形態に係る紙葉類処理システム１の保守サーバ４から紙幣処理装置２に送信される制御指示の一例を説明する図である。
図４に示すように、項目が１の制御指示は、「装置に合わせたプログラムのバージョン情報を送信」する指示である。項目が２の制御指示は、「装置に合わせたプログラムを送信」する指示である。また、項目が３の制御指示は、「装置に対する機能制限指示を送信」する指示である。なお、保守サーバ４が、各項目を制御指示として選択する処理については後述する。
【００２７】
次に、第１実施形態に係る紙幣処理装置２について説明する。
図５は、第１実施形態に係る紙葉類処理システム１における紙幣処理装置２の全体構成を概略的に示す断面図、図６は、第１実施形態に係る紙葉類処理システム１における紙幣処理装置２のメインモジュール（含む鑑査モジュール）、装填モジュール、施封モジュールを拡大して示す断面図である。
【００２８】
図５に示すように、紙葉類として紙幣を処理する紙幣処理装置２は、メインモジュール１０、装填モジュール３０、３つの施封モジュール６０ａ、６０ｂ、６０ｃを備え、これらのモジュールは、この順で一列に並んで配置され、互いに電気的かつ機械的に連結されている。メインモジュール１０には、このメインモジュールおよび装置全体の動作を制御する主制御部１２が設けられている。
【００２９】
図５および図７に示すように、主制御部１２は、メインモジュール１０内の制御ボードに設けられている。また、図７に示すように、主制御部１２は、ＣＰＵ１２ａ、メモリ１２ｂ、第１通信ポート１２ｃ、及び第２通信ポート１２ｄを備えている。図７は、第１実施形態に係る紙葉類処理システム１における紙幣処理装置２を概略的に示すブロック図である。
【００３０】
第１通信ポート１２ｃは、ネットワーク５を介して集計サーバ３と接続されている。第２通信ポート１２ｃは、ネットワーク５を介して集計サーバ３と情報の送受信をＣＰＵ１２ａの制御に応じて行う。
第２通信ポート１２ｄは、ネットワーク６を介して保守サーバ４の通信ポート４０１と接続されている。第２通信ポート１２ｄは、ネットワーク６を介して保守サーバ４と情報の送受信をＣＰＵ１２ａの制御に応じて行う。
【００３１】
メモリ１２ｂは、種々のデータ、制御プログラム、管理情報等を格納する。種々のデータとは、後述のオペレータＩＤ、日時、シリアル番号、アサイン情報、銀行のロゴ、管理者サインイメージ、各国言語のフォント等の結束帯に印字可能な印字情報、紙葉類の複数段の処理速度等である。また、種々のデータとは、紙幣処理装置２の識別情報、及び装置の使用状態情報等である。なお、使用状態情報とは、紙幣処理装置２のプログラムのバージョン情報、紙幣処理装置２の稼働時間を示す情報、紙幣処理装置２が処理した合計の処理枚数を示す情報、エラー情報、操作員毎の生産性に関する情報、顧客毎の生産性に関する情報等である。また、メモリ１２ｂには、予め定められたネットワークのアドレスが記憶されている。予め定められたアドレスとは、例えばＩＰアドレス、またはＵＲＬ（Ｕｎｉｆｏｒｍ  Ｒｅｓｏｕｒｃｅ  Ｌｏｃａｔｏｒ；ユニフォームリソースロケータ）で記述されたインターネットのアドレスである。また、このアドレスは、保守サーバ４のアドレスである。
【００３２】
ＣＰＵ１２ａは、各モジュールの動作を制御するとともに動作状態の効率等を算出する。ＣＰＵ１２ａは、第２通信ポート１２ｄ及びネットワーク６を介してメモリ１２ｂに記憶されている識別情報及び装置の使用状態情報を、保守サーバ４に送信する。ＣＰＵ１２ａは、第２通信ポート１２ｄ及びネットワーク６を介して保守サーバ４が送信した制御指示を受信する。ＣＰＵ１２ａは、受信した制御指示に応じて、紙幣処理装置２の動作を制御する。紙幣処理装置２の動作とは、各モジュールの動作、第１通信ポート１２ｃの通信動作、主制御部１２と各モジュールとの接続動作等である。例えば、制御指示が「装置に合わせたプログラムのバージョン情報」の場合、ＣＰＵ１２ａは、受信した制御指示を表す情報をモニタ１５上に表示させる。また、制御指示が「装置に対する機能制限指示」の場合、ＣＰＵ１２ａは、受信した制御情報に応じて、例えば、第１通信ポート１２ｃの通信を遮断するように制御する。なお、各モジュールが第１通信ポート１２ｃ及びネットワーク５を介して接続されている場合、ＣＰＵ１２ａは、この制御指示に応じて、主制御部１２と各モジュールとの接続とが遮断されるように制御してもよい。
【００３３】
主制御部１２には、装置に種々の情報を入力する操作部１７、および入力情報および装置の動作状態、処理状態等を表示する表示装置としてのモニタ１５が接続されている。なお、操作部１７とモニタ１５とがタッチパネルとして一体に形成されていてもよい。装填モジュール３０および３つの施封モジュール６０ａ、６０ｂ、６０ｃは、それぞれ各モジュールの動作を制御する副制御部３１ａ、６１ａを有し、これらの副制御部は、図示しないインターフェースおよびケーブルを介してメインモジュール１０の主制御部１２の第１通信ポート１２ｃまたは図示しないインターフェースに、例えばＬＡＮ（Ｌｏｃａｌ  Ａｒｅａ  Ｎｅｔｗｏｒｋ；ローカル・エリア・ネットワーク）接続されている。主制御部１２は、ネットワーク５を介して集計サーバ３に接続され、集計サーバ３との間で情報の送受信、情報整理が行われる。また、主制御部１２は、ネットワーク６を介して保守サーバ４に接続され、保守サーバ４との間で情報の送受信、情報整理が行われる。
【００３４】
主制御部１２に接続された操作部１７から操作員の操作によって、入金業務、整理業務などの取引方法の設定、装填庫への装填処理、装填庫内の紙幣の鑑査処理、処理した紙幣Ｐを収納する集積庫の設定、施封処理の設定、紙幣の判別レベルである正損レベル（正損度）設定など処理装置の種々の動作設定が行われる。
また、主制御部１２は、後述する鑑査モジュール１８の鑑査装置１８ａからの処理情報に応じて、単位時間の処理効率、複数日のそれぞれの処理効率、オペレータＩＤごとの処理効率、トータル処理枚数、トータル稼動時間を含む管理情報を算出し、メモリ１２ｂに格納するとともに、モニタ１５に表示する。
【００３５】
図５および図６に示すように、メインモジュール１０は、多数枚の紙幣Ｐが積層状態で載置される供給部１１と、この供給部１１から紙幣Ｐを１枚ずつ取り出す取り出し機構１４と、取り出し機構１４によって取り出された紙幣Ｐを搬送する搬送路１６とを有している。搬送路１６には、複数組の図示しない無端状の搬送ベルトが搬送路を挟むように延設されている。取出された紙幣Ｐは、搬送ベルトに挟持されて搬送される。
【００３６】
図６、図８および図９に示すように、供給部１１は、鉛直方向に対して角度θだけ傾斜して延びる支持面１１ａと、この支持面１１ａの下端から、支持面１１ａにほぼ直交方向に延びる載置面１１ｂと、これら支持面１１ａおよび載置面１１ｂの両側縁に沿って立設された一対のガイド壁１１ｃと、を有している。支持面１１ａと載置面１１ｂとの境界部には、紙幣Ｐを装置内に取込むための取出し口１１ｅが形成されている。この供給部１１は、メインモジュール１０の装置本体の一端側に設けられ、更に、供給部１１の下部、つまり、載置面１１ｂは、装置本体の下端近傍に位置している。図８は、第１実施形態に係る紙葉類処理システム１における紙幣処理装置２の供給部１１を示す斜視図である。図９は、第１実施形態に係る紙葉類処理システム１における紙幣処理装置２の供給部１１の断面図である。
【００３７】
供給部１１には、複数枚、例えば、２０００枚以上の紙幣Ｐを積層状態で載置することができる。積層紙幣Ｐは、その最下部の紙幣が載置面１１ｂ上に載置され、かつ、例えば、紙幣の長辺側の側縁が支持面１１ａ上に載置された状態で、支持面に沿って傾斜して供給部１１に搭載される。積層紙幣Ｐは、取出し機構１４により、最下部の紙幣Ｐから順に、一枚ずつ、取出し口１１ｅを通して装置内に取り込まれる。
【００３８】
支持面１１ａの傾斜角度θは、２５ないし７５度の範囲に設定され、例えば、３０ないし４０度に設定されている。なお、支持面１１ａは、装置本体に対して回動可能に構成し、その傾斜角度θを調整可能としてもよい。
【００３９】
図１０Ａは、鉛直方向に対して支持面１１ａが角度θ１＝２０度、傾斜している場合を示し、図１０Ｂは、支持面１１ａが角度θ２＝３０度、傾斜している場合を示している。支持面１１ａの傾斜角度を大きくすることで、紙幣Ｐの取出し角度を寝かせることで、載置面１１ｂに対する集積紙幣Ｐの加重が減少し（ｆ１＞ｆ２）、積層方向に沿った紙幣Ｐ間の摩擦が低減する。これにより、供給部１１に２０００枚程度の紙幣Ｐを積層配置した場合でも、紙幣Ｐを安定して取出すことが可能となる。
【００４０】
一方、支持面１１ａの傾斜角度を大きくし、紙幣Ｐの取出し角度を寝かせると、支持面１１ａに対する紙幣Ｐの加重が増大し（Ｆ１＜Ｆ２）、紙幣Ｐの側縁と支持面１１ａとの間の摩擦が増大する。この程度の加重の増加では、紙幣Ｐの取出しに影響することは少ない。しかし、本実施形態では、より摩擦を低減するため、図８および図９に示すように、支持面１１ａ上に一対のリブ１１ｄが突設されている。これらのリブ１１ｄは、支持面１１ａの長手方向に沿って、すなわち、紙幣Ｐの積層方向に沿って、互いに平行に延びている。供給部１１に載置された積層紙幣Ｐの側縁は、一対のリブ１１ｄ上に載置される。そのため、紙幣Ｐと支持面１１ａとの接触面積が小さくなり、これらの間の摩擦を低減することができる。これにより、積層紙幣Ｐは、その最下部の紙幣Ｐから順に取出されると、順じ円滑に載置面１１ｂ側に下降する。
【００４１】
図６に示すように、供給部１１は、積層紙幣Ｐを取出し側、つまり、載置面１１ｂに向かって移動させるバックアッププレート２１を備えている。バックアッププレート２１は、支持面１１ａに収納可能にかつ支持面に沿って移動可能に設けられている。バックアッププレート２１は、支持面１１ａに対して回動可能に支持されている。通常、例えば、２０００枚程度の紙幣Ｐが供給部１１に載置されている場合、バックアッププレート２１は、支持面１１ａとほぼ面一となる位置に回動され、ねじりばね等によってその位置に保持されている。紙幣Ｐの取出しが進み、枚数が減少してくると、例えば、８００枚程度に減少してくると、バックアッププレート２１は、支持面１１ａから直角に起立する位置に回動され、以後、積層紙幣Ｐの最上段に当接し、積層紙幣Ｐとともに取出し側に移動する。これにより、バックアッププレート２１は積層紙幣Ｐを取出し側に移動させることができ、積層紙幣Ｐの枚数が少なくなった状態でも、紙幣の倒れ等を防止し、安定して取出し位置に移動させることができる。
【００４２】
なお、供給部１１に載置される紙葉類は、図１１に示すような、バッチカード１１６を含んでいてもよい。このバッチカード１１６は、例えば、紙幣Ｐと同一の外径寸法、あるいは、紙幣Ｐよりも大きな外径寸法に形成され、その表面および、あるいは裏面に、紙幣Ｐのバッチの情報を示すバーコード１１７が形成され、また、複数の検出孔１１８を有している。また、バッチカードは、赤、青、緑等の有色に形成されている。このようなバッチカード１１６は、積層紙幣Ｐにおいて、任意のバッチの先頭あるいは最後尾に積層された状態で、供給部１１に載置される。図１１は、第１実施形態に係る紙葉類処理システム１における紙幣処理装置２に用いるバッチカード１１６を示す平面図である。
【００４３】
図６および図１２に示すように、供給部１１から紙幣Ｐを１枚ずつ取り出す取り出し機構１４は、載置面１１ｂ上の紙幣Ｐに当接可能に設けられた複数のピックアップローラ（取出しローラ）２４と、取出し口１１ｅ側のピックアップローラ２４に転接して設けられた分離ローラ２５と、ピックアップローラ２４を所定の速度で回転する駆動モータ２６と、を備えている。図１２は、第１実施形態に係る紙葉類処理システム１における紙幣処理装置２の取出し機構１４および搬送路１６を拡大して示す断面図である。
【００４４】
ピックアップローラ２４が回転することにより、最下段の紙幣Ｐがピックアップローラ２４によって取出され、取出し口１１ｅから搬送路１６へ送られる。この際、分離ローラ２５により、２枚目以降の紙幣Ｐが取出し紙幣から分離される。これにより、紙幣Ｐが１枚ずつ、供給部１１から取出され、搬送路１６へ送られる。
【００４５】
主制御部１２のＣＰＵ１２ａは、載置された積層紙幣Ｐの量に応じて、あるいは、操作員からの入力指示に応じて、取出し機構１４に紙幣の取込み量、取込み速度を複数段階に調整する。すなわち、ＣＰＵ１２ａは、駆動モータ２６によるピックアップローラ２４の回転速度を調整し、例えば、毎分１０００枚、８００枚、６００枚の取込み量を設定する。また、ＣＰＵ１２ａは、後述する鑑査モジュール１８の鑑査装置１８ａの鑑査状態に応じて、紙幣Ｐの取込み量を調整する。例えば、鑑査装置１８ａにより、紙幣Ｐの鑑査を良好に行えない場合、ＣＰＵ１２ａは、取込み量を毎分１０００枚から毎分８００枚に低減する。更に、ＣＰＵ１２ａは、鑑査装置１８ａにより紙幣Ｐの２枚取りあるいはショートピッチが検出された際に、ピックアップローラ２４を一時的に停止あるいは逆転させ、紙幣Ｐの二枚取りの防止、および、紙幣Ｐの送りピッチの正常化を行う。
【００４６】
なお、取出し口１１ｅの近傍には、載置面１１ｂ上の紙幣Ｐの有無を検出する図示しないセンサが設けられている。図１２に示すように、バッチカード１１６を用いる場合には、載置面１１ｂに対向して、ＲＧＢセンサ２３が設けられる。このＲＧＢセンサ２３は、紙葉類の色を検知し、バッチカード１１６を検出する。
【００４７】
図５および図６に示すように、搬送路１６によって搬送される紙幣Ｐの搬送ピッチを補正する搬送ピッチ補正部１３と、搬送ピッチが補正された紙幣Ｐを１枚ずつ鑑査する鑑査モジュール１８と、バーコードリーダ１９と、が搬送路１６に沿って配置されている。鑑査モジュール１８は、鑑査装置１８ａを備えている。鑑査装置１８ａは、鉛直方向に関して、供給部１１の取出し口１１ｅよりも上方に配設されている。鑑査装置１８ａは、送られて来た紙幣Ｐの金種、形状、厚さ、表裏、真偽、正損、２枚取り等を検出する。ここで、正損検出とは、再流通可能な正券と、汚れ、破損等があり再流通不可能な損券とを検出することを示している。
【００４８】
バーコードリーダ１９は、例えば、バッチカード１１６を用いる場合に、鑑査装置１８ａを通過したバッチカード１１６に付されているバーコード１１７を読取り、その読取り情報を主制御部１２へ送る。なお、独立したバーコードリーダを設けることなく、鑑査装置１８ａにより、バーコードを読取る構成としてもよい。
【００４９】
搬送路１６は、取出し機構１４および取出し口１１ｅから一端下方に延びた後、鑑査装置１８ａまで、鉛直方向に対して斜め傾斜して、下から上に延びている。本実施形態によれば、搬送路１６は、ほぼ供給部１１の支持面１１ａに沿って、すなわち、支持面１１ａと同様に傾斜して延びている。なお、搬送路１６は、取出し口１１ｅから一端下がることなく、取出し口から直ちに斜め上方に延出してもよい。そして、鑑査装置１８ａも、搬送路１６に沿って、斜めに傾斜して設けられている。
【００５０】
このように搬送路１６を下から上に傾斜して延ばすことにより、供給部１１から紙幣Ｐと共に、クリップ、コイン、ピン等の異物が搬送路１６に取込まれた際、異物を重力により搬送路１６に沿って搬送路の最下部に落下する。これにより、異物が鑑査装置１８ａに入る前に排除し、異物による鑑査装置１８ａの損傷を未然に防止することができる。
【００５１】
図６および図１２に示すように、搬送路１６の最下部において、搬送路１６を規定しているガイド板２６ｂに排出口２６ａが形成され、更に、この排出口２６ａの下方に、異物回収部が設けられている。異物回収部は、例えば、装置本体から引き出し可能な回収箱２７により構成されている。搬送路１６に沿って落下する異物は、排出口２６ａから排出され、回収箱２７に回収される。
【００５２】
図１２および図１３に示すように、搬送路１６の最下部に対向して、吸気ファン２８が設けられ、更に、吸気ファン２８の排気側に集塵フィルタ２９が設けられている。吸気ファン２８により搬送路１６の最下部内を吸気することにより、搬送路１６内に生じる紙粉、粉塵等を搬送路から除去し、集塵フィルタ２９によって捕獲する。これにより、紙粉等に起因する搬送路１６の汚染、および、鑑査装置１８ａでの鑑査精度の低下を防止する。図１３は、第１実施形態に係る紙葉類処理システム１における紙幣処理装置２の搬送路１６の最下部および吸気ファン２８を示す断面図である。
【００５３】
図５および図６に示すように、メインモジュール１０において、搬送路１６に沿って、２つのリジェクト部２０ａ、２０ｂが設けられ、また、それぞれ紙幣を集積する複数の集積庫２２ａ、２２ｂ、２２ｃ、２２ｄが並んで配置されている。鑑査装置１８ａを通過した紙幣Ｐは、図示しないゲートにより、リジェクト券と、処理券とに振り分けられる。リジェクト券とは、鑑査装置１８ａにより、偽券と判別された券、又は折れ、破れ、スキュー、２枚取りなどにより判別不能な券と判別された券をいう。スキューとは、搬送方向と直交する方向に対して、紙幣Ｐが斜めに傾斜した状態を言う。リジェクト券は、リジェクト部２０ａあるいは２０ｂに振り分けられて集積される。リジェクト部２０ａあるいは２０ｂに集積されたリジェクト券は、偽券を除き、供給部１１にセットし直して再取り込みするか、手入力で計数データに算入する。鑑査装置１８ａによる処理金額、枚数等の鑑査結果は、主制御部１２へ送られ、保存されるとともに、モニタ１５に表示される。
【００５４】
また、処理券とは、鑑査装置１８ａで判別された紙幣Ｐが真券で正券、又は真券で損券をいう。処理券は、集積庫２２ａないし２２ｄに送られて集積される。例えば、処理券は、金種ごとに対応する集積庫２２ａないし２２ｄのいずれかに振分けて集積され、また、損券はまとめて１つの集積庫に集積される。なお、集積庫２２ａないし２２ｄの前段には、複数のゲート２２ｅが設けられている。ゲート２２ｅは、主制御部１２の制御に基づいて動作することにより、処理券を所定の集積庫に搬送させることができる。即ち、ゲート２２ｅ及び集積庫２２ａないし２２ｄの前段の搬送路は、区分処理手段として機能する。
前述したバッチカード１１６を用いる場合、バッチカード１１６は、鑑査装置１８ａおよびバーコードリーダ１９を通過した後、リジェクト部２０ａあるいは２０ｂに送られ、集積される。
【００５５】
搬送路１６は、後述する装填モジュール３０に繋がっている。装填モジュール３０によって装填庫に紙幣を装填する場合、メインモジュール１０の鑑査装置１８ａによって鑑査された処理券の一部あるいは全部は、搬送路１６を通して装填モジュール３０へ送られる。
【００５６】
なお、メインモジュール１０は、取り出し機構１４、鑑査モジュール１８、搬送機構等を駆動する図示しない駆動機構および電源、その他、種々のセンサを備えている。
図５および図６に示すように、装填モジュール３０は、自動取引装置（ＡＴＭ）から取り出したＡＴＭカセット、装填カセット等の装填庫３２が脱着自在に装着される装着部３４と、装填庫３２に紙幣を装填し、あるいは、装填庫３２から紙幣を取り出す装填取り出し機構３６と、鑑査装置３８と、リジェクト庫４０と、整列機構４２と、これらを通して紙幣を搬送する搬送路４４と、を備えている。搬送路４４には、複数組の無端状の搬送ベルトが搬送路を挟むように延設されている。紙幣は、搬送ベルトに挟持されて搬送される。搬送路４４は、メインモジュール１０の搬送路１６から施封モジュール６０ａに続く第１搬送路４４ａおよび第１搬送路から装着部３４、鑑査装置３８、リジェクト庫４０近傍を通って第１搬送路に戻る第２搬送路４４ｂを有している。
【００５７】
装着部３４に装着される装填庫３２としては、紙幣の装填（入金）のみが可能な装填庫、紙幣の取り出し（出金）のみが可能な装填庫、あるいは、紙幣の装填および取り出し（入出金）が可能な装填庫がある。ここでは、装填庫３２は、多数の紙幣を装填可能であるとともに、この装填庫から紙幣を取り出し可能に構成されている。また、装填庫３２は、紙幣の装填、取り出しを検出センサ、および、装填されている紙幣の券種、金額（有高）、オペレータ情報、装填庫３２のＩＤ（支店番号、どの装填庫かを示す指標）、機体番号等の情報を格納するメモリを備えている。
【００５８】
図１４Ａ及び図１４Ｂは、第１実施形態に係る紙葉類処理システム１における紙幣処理装置２の自動取引装置（ＡＴＭ）３１の一例を示す斜視図である。このＡＴＭ３１は、ほぼ矩形箱状の本体２００を備え、本体の前面には、利用者に対面するほぼＬ字形状の接客パネル２０２が設けられている。接客パネル２０２の水平部には、タッチパネルを兼ねた表示部２０４が設けられ、垂直部には、カード挿入口２０６、通帳挿入口２０８等が設けられている。また、接客パネル２０２の角部には、それぞれ扉によって開閉される紙幣入出金口２１０および硬貨入出金口２１２が設けられている。
【００５９】
本体２００内には、紙幣入出金口２１０を介して利用者に紙幣を入出金するための紙幣取扱装置２１４、硬貨入出金口２１２を介して硬貨を入出金する硬貨取扱装置２１６、制御ユニット２１８、通帳プリンタ２２０、カード／伝票処理装置２２２等が配設されている。
【００６０】
本体２００の後面には、紙幣取扱装置２１４および硬貨取扱装置２１６を本体から取出し可能とするための開閉自在な扉２２４が設けられている。この扉２２４には、後述する紙幣取扱装置２１４の紙幣搬入／搬出部に対向した不図示の挿入口が形成され、この挿入口は不図示の上下に開く扉によって開閉される。また、紙幣取扱装置２１４の後面には不図示のコネクタが設けられ、挿入口に対向している。
【００６１】
図１４Ａ及び図１４Ｂに示すように、紙幣取扱装置２１４は細長い箱状の筐体２３２を有し、この筐体内には、装填庫３２として、例えば、一万円紙幣を収容する２つの装填庫、千円紙幣を収容する装填庫が並んで設けられている。これらの装填庫３２は、扉２２４を開けて筐体２３２を引き出すことにより、筐体２３２から取外し、また、筐体２３２内に装着することができる。この他、筐体２３２内には、紙幣入出金口２１０から投入された紙幣を受け取るとともに出金紙幣が出金される紙幣集積部、入金紙幣を一時的に集積する入金一時集積部、入金紙幣および出金紙幣を鑑査する鑑査部、リジェクト紙幣を収容する一対のリジェクト庫、損券等を収容する回収庫等が設けられている。
【００６２】
このようなＡＴＭ３１から取り出された装填庫３２が、図６に示すように、装填モジュール３０の装着部３４に脱着可能に装着される。装填庫３２を装着部３４に装着することにより、装填庫３２は、装填取り出し機構３６に接続されるとともに、コネクタ４６を介して装填モジュール３０の制御部に接続される。装填庫３２のメモリに格納された情報は、コネクタ４６、ＬＡＮを介して主制御部１２へ送られる。装填庫３２に、無線ＩＣタグ等の無線固体識別（ＲＦＩＤ）を付与し、装填庫３２の情報を無線通信で装填モジュール３０および主制御部１２へ送るようにしてもよい。
【００６３】
装填モジュール３０の装填取り出し機構３６は、装填庫３２から紙幣を１枚ずつ取り出す取り出しローラ、装填庫３２へ紙幣を装填する装填ローラ、および搬送ベルト等を有している。
【００６４】
鑑査装置３８は、装填庫３２から取り出された紙幣の金種、形状、厚さ、表裏、真偽、正損、２枚取り、紙幣の記番号等を検出する。ここで、正損検出とは、再流通可能な正券と、汚れ、破損等があり再流通不可能な損券とを検出することを示している。損券には、テープが貼り付けられた紙幣も含む。真偽検出は、例えば、磁気検知、画像検知、あるいは、蛍光を当て反射する光を読む蛍光検知を用いることができる。また、鑑査装置３８は、取り出された紙幣を計数し、枚数および有高を算出する。鑑査装置１８ａにより検出された有高、枚数等の鑑査結果は、主制御部１２へ送られ、保存されるとともに、モニタ１５に表示される。
【００６５】
リジェクト庫４０は、紙幣の搬送方向に関し、鑑査装置３８の下流側に設けられている。鑑査装置３８を通過した紙幣Ｐは、図示しないゲートにより、リジェクト券と、処理券とに振り分けられる。リジェクト券とは、鑑査装置３８により、偽券と判別された券、又は折れ、破れ、スキュー、２枚取りなどにより判別不能と判別された券をいう。リジェクト券は、リジェクト庫４０へ送られ、集積される。また、予め、主制御部１２の制御の下、メインモジュール１０の集積庫２２ａ〜２２ｄのいずれか１つあるいは複数をリジェクト庫に設定しておき、装填モジュール３０から排出されたリジェクト券をメインモジュール１０のリジェクト庫へ送り集積してもよい。更に、鑑査装置３８を通過したリジェクト券の内、偽券と判別されたリジェクト券と、他のリジェクト券とを別々のリジェクト庫に分けて集積してもよい。
【００６６】
処理券とは、鑑査装置３８で判別された紙幣Ｐが真券で正券、又は真券で損券をいう。正券は、第２搬送路４４ｂおよび整列機構４２を通して装填庫３２へ戻され、装填取り出し機構３６により装填庫３２内に装填される。主制御部１２の制御の下、予め、メインモジュール１０の集積庫２２ａ〜２２ｄのいずれか１つあるいは複数を損券庫に設定しておき、装填モジュール３０から排出された損券はメインモジュール１０の損券庫へ送り集積される。
【００６７】
装填庫３２から取り出された正券は、金種ごとに予め設定された任意の指定枚数ずつメインモジュール１０の集積庫２２ａ〜２２ｄに集積してもよい。また、装填庫３２に集積する枚数、例えば、２０００枚が設定されている場合、上記のように鑑査装置３８で検出した正券の枚数から、不足分を認識でき、不足枚数分の紙幣をメインモジュール１０から装填モジュール３０へ供給し、整列機構４２および搬送路４４を通して装填庫３２に装填する。装填庫３２を装填モジュール３０の装着部３４へ装着することにより、装填庫３２内の紙幣の有高が自動的に主制御部１２へ送られるため、主制御部１２は、送られた有高が所望の有高に不足していると判断した場合、自動的に、メインモジュール１０から装填庫３２に不足分紙幣を供給し、装填するようにしてもよい。
【００６８】
メインモジュール１０から装填庫３２に装填した紙幣情報は、装填庫３２のメモリに格納され、電子的に封印される。装填庫３２を装填モジュール３０から取出し、蓋を開けた場合には、扉開情報、日時がメモリに記憶される。電子的に封印として、パスワードやＩＣカードを用いることができ、装填庫３２の扉を開ける際、電子キーやＩＣカードが使用された場合には、それを使用したオペレータ情報もメモリに記憶される。これにより、装填庫３２のセキュリティ性を上げることができる。
【００６９】
また、装填庫３２から入手した情報、例えば、ＡＴＭの店番号、オペレータ情報、券種、金額、装填方向、装填した紙幣量、装填庫の運搬ルートなどの情報は、主制御部１２へ送られ、主制御部１２で記録、集計される。オペレータ情報には、ＡＴＭ店舗側のオペレータ、および装填庫３２を紙幣処理装置へセットする受け入れオペレータが含まれる。このような装填庫３２の情報を主制御部１２で管理することにより、セキュリティ性の向上を図ることが可能となる。
【００７０】
一方、紙幣の施封処理が設定されている場合、装填庫３２から取り出された正券は、搬送路４４および整列機構４２を通して施封モジュール６０ａに送られ、所定枚数ずつ施封される。整列機構４２は、搬送路４４を通して送られて来る紙幣の中心を搬送路の中心に合わせ、また、スキューしている紙幣をその一辺が搬送方向と直交する向きとなるように補正する。
【００７１】
図１５〜図１８は、整列機構４２を示している。図１５は、第１実施形態に係る紙葉類処理システム１における紙幣処理装置２の装填モジュール３０の整列機構４２を示す側面図である。図１６は、第１実施形態に係る紙葉類処理システム１における紙幣処理装置２の整列機構４２を示す斜視図である。図１７は、第１実施形態に係る紙葉類処理システム１における紙幣処理装置２の整列機構４２を示す平面図である。図１８は、第１実施形態に係る紙葉類処理システム１における紙幣処理装置２の整列機構４２の紙幣整列動作を示す平面図である。
【００７２】
図１５〜図１８に示すように、整列機構４２は、紙幣Ｐを搬送する搬走路の上流及び下流に、搬走路と直行する方向に複数の搬送ローラが配置され、相対する搬送ローラ間に搬送ベルトが掛けられて構成される。本実施形態では、搬送ローラ５０Ａ、補正ローラ５０Ｂ、搬送ローラ５０Ｃ、など複数の搬送ローラと、これら搬送ローラに掛け回された搬送ベルト５０Ｄ１ないし５０Ｄ３、タイミングセンサＳＣ５０１、ＳＣ５０２、及び駆動モータ（図示しない）を備えている。搬送ローラ５０Ａは、紙幣Ｐを整列機構４２に取り込む取り込みローラで、搬送ベルト５０Ｄ１〜５０Ｄ３に対応する３個の搬送ローラ（図示しない５０Ａ１〜５０Ａ３）で構成される。ここで、搬送ローラ５０Ａはこれらの総称である。
【００７３】
補正ローラ５０Ｂは、搬送ベルト５０Ｄ１〜５０Ｄ３のベルト位置を補正するローラで、搬送ベルト５０Ｄ１〜５０Ｄ３に対応する３個の補正ローラ５０Ｂ１〜５０Ｂ３で、アイドルローラで構成される。ここで、補正ローラ５０Ｂは、その総称である。
搬送ローラ５０Ｃは、搬送ベルト５０Ｄを駆動する駆動ローラで、搬送ベルト５０Ｄ１〜５０Ｄ３に対応する３個の搬送ローラ（図示しない５０Ｃ１〜５０Ｃ３）で構成される。ここで、搬送ローラ５０Ｃは、その総称である。他の搬送ローラについても同様である。
これら搬送ローラは、整列機構４２のユニットベース５０Ｆに対して片持ちで支持され、ユニットベースから遠い側が撓みやすい。整列機構４２は、補正ローラ５０Ｂ、この補正ローラ５０Ｂを同軸上に配置する回転軸、この回転軸を保持するベース５０Ｅ２、及びベース５０Ｅ２をユニットベース５０Ｆに固定するステー５０Ｅ３を有している。
【００７４】
補正ローラ５０Ｂ１〜５０Ｂ３は、それぞれローラ表面の内、中央部分が両端部分よりも高いクラウン形状に形成されている。なお、クラウン形状とは、ローラの両端部の直径よりも中央部に近づくにしたがって直径が大きくなる形状を示す。また、これら３個の補正ローラ５０Ｂ１〜５０Ｂ３は、同軸上に配置された軸受けを有する回転軸に固定され、それぞれ搬送ベルト５０Ｄ１〜５０Ｄ３に外接して配置される。この回転軸の両端部はホルダ５０Ｅ１によってベース５０Ｅ２に固定される。
【００７５】
ベース５０Ｅ２は、ユニットベース５０Ｆから突出した棒状のステー５０Ｅ３にネジＢＩＳ１、ＢＩＳ３によって固定される。この整列機構４２の回動軸であるネジＢＩＳ２を回動することによって、このネジＢＩＳ２を回動軸としてベース５０Ｅ２が回動し、補正ローラ５０Ｂ１〜５０Ｂ３の位置を図１８に示すように移動することができる。実施形態では、ベース５０Ｅ２のネジＢＩＳ２及びネジＢＩＳ３を取り付ける部分は、ネジＢＩＳ２による回動範囲を考慮した長穴にしてある。
【００７６】
整列機構４２により搬送紙幣Ｐを整位する方法を説明する。上述したように搬送ローラ５０Ａ〜５０Ｃはユニットベース５０Ｆに対して片持ち支持されているため、ユニットベース５０Ｆから遠い部分が撓みやすい。この撓みの影響で、搬送ベルト５０Ｄは図示矢印Ａ５０で示す方向、すなわち手前側から奥側（ユニットベース５０Ｆ側）に蛇行する。この蛇行により、搬送ベルト５０Ｄに挟持された紙幣Ｐも同様に手前側から奥側にずれる。この状態で装填庫３２に集積されると、紙幣Ｐの集積状態が悪くなる。
【００７７】
そこで、ネジＢＩＳ２を図１８に示す図示矢印Ａ５１の方向（左回り）に回動すると、補正ローラ５０Ｂ１〜５０Ｂ３が破線で示す位置に移動する。この移動によって搬送ベルト５０Ｄの搬送ベルト位置が初期状態に補正される。搬送ベルト位置に問題がなければ、この位置でネジＢＩＳ１、ＢＩＳ３を固定する。なお、このネジＢＩＳ２の回動量は、紙幣Ｐの搬送状態を観測しながら動的に設定すると好適である。
【００７８】
ネジＢＩＳ２を図示矢印Ａ５１の方向に回動すると、上述したようにクランク形状により補正ローラのローラ中心部分が高くなっているため、この高くなっているローラ中心が、ユニットベース５０Ｆから手前側に移動する。搬送ベルト５０Ｄは、このローラ中心の高い位置に向かって移動することが知られ、この原理に基づいて搬送ベルト５０Ｄが補正される。この場合、搬送ベルト５０Ｄ１がユニットベース５０Ｆ側から手前側に補正され、同様に搬送ベルト５０Ｄ３が手前側からユニットベース５０Ｆ側に補正される。
【００７９】
整列機構４２は、主要な機能は、ベルトが蛇行することによる紙幣のスライドの発生を防止し、紙幣の中心を搬送路の中心に整位するものである。また、複数のモジュールを連結し、搬送路が長くなると、搬送中にベルトの蛇行により、紙幣がだんだんずれてくる。整列機構４２は、この紙幣のずれを補正し、搬送路の中心に整列する。整列機構４２は、紙幣のスキュー、スライド量を予め鑑査のラインセンサーで検出し、補正量を見定めローラを傾けて紙幣を強制的に補正する。
【００８０】
整列機構４２は、搬送ベルトの位置ずれが装置に及ぼす影響の最も大きい箇所に配置すると大きな効果が得られる。例えば、本実施形態では、図６に示すように、紙幣Ｐを装填庫３２へ送る前、および、紙幣を施封モジュール６０ａに送る前の位置に設けられている。これにより、送られて来た紙幣Ｐは、整列機構４２により搬送路４４に整位された状態で、装填庫３２へ送られ、整位された状態で装填庫３２内に集積される。これにより、次の出金のために紙幣を整えて集積でき、有益となる。また、紙幣Ｐは、整列機構４２により搬送路４４に整位された状態で、施封モジュール６０ａに送られ、施封される。整列機構４２により施封する紙幣の位置関係を整えることにより、施封モジュールにより紙幣を綺麗に集積し、施封することができる。
【００８１】
図５および図６に示すように、集積施封装置としての施封モジュール６０ａは、装填モジュール３０の第１搬送路４４ａに連通する搬送路６２と、この搬送路６２を通して送られて来た紙幣を所定枚数ずつ集積する第１集積装置６４ａおよび第２集積装置６４ｂと、これらの集積装置により所定枚数、例えば１００枚、集積された紙幣束を帯により施封する施封装置６８と、を備えている。第２集積装置６４ｂは、第１集積装置６４ａに対して斜め下方向にずれて配置され、また、施封装置６８は、第２集積装置６４の下方に配置されている。更に、施封装置６８により施封された紙幣束を受取り集積する排出部７５が施封装置６８の下方に設けられている。
【００８２】
第１および第２集積装置６４ａ、６４ｂの各々は、一時集積部６５と、送られて来た紙幣Ｐを１枚ずつ所定枚数だけ一時集積部６５に集積する羽根車集積装置６６と、を備えている。羽根車集積装置６６の羽根車６６ａは、複数の羽根が回転軸の周辺に組み込まれ、搬送されてきた紙幣Ｐを羽根と羽根の間で受け取れるように、紙幣の搬送に同期して回転される。この羽根車６６ａを使用することによって、高速に搬送される紙幣Ｐの運動エネルギーを吸収しながら、かつ、紙幣Ｐを整位しながら一時集積部６５に集積する。
施封モジュール６０ａは、第１および第２集積装置６４ａ、６４ｂの各々から、集積紙幣を受け取り、施封装置６８に搬送する昇降および横方向に移動可能な搬送トレイ７０を備えている。
【００８３】
施封装置６８は、搬送トレイ７０により運ばれた１００枚の紙幣束を施封するための結束帯（第１帯）Ｂを供給する帯供給部７１と、供給された結束帯に所望の情報を印字する印字装置７２と、印刷済み結束帯Ｂ１を紙幣束に巻き付ける帯巻き機構７３と、紙幣束に対する結束帯Ｂ１の巻き付け位置を調整する調整機構７６と、を備えている。
印字装置７２としては、インクジェットプリンタ、ドットプリンタ、レーザプリンタ等を用いることができる。印字装置７２は、主制御部１２および副制御部６１ａの制御の下、オペレータにより入力された任意の情報、あるいは、メモリ１２ｂに格納されているオペレータＩＤ、日時、シリアル番号、アサイン情報、銀行のロゴ、管理者サインイメージ等を任意の言語フォントにて結束帯Ｂ１に印刷する。
【００８４】
図１９Ａ及び図１９Ｂに示すように、調整機構７６は、紙幣束の端部を把持するチャック７７と、チャック７７を紙幣束の長手方向に沿って往復移動させるプランジャ７８と、紙幣束の引き込み位置を検出する複数の位置センサ７９ａ、７９ｂとを有している。図１９Ａ及び図１９Ｂは、第１実施形態に係る紙葉類処理システム１における施封モジュールの調整機構を示す平面図である。調整機構７６は、チャック７７により紙幣束を把持し、結束前のループ状に巻かれた結束帯Ｂ１の中を通して紙幣束を任意の位置まで引き込み、紙幣束に対する結束帯Ｂ１の巻付け位置を調整する。例えば、位置センサ７９ａ、７９ｂにより紙幣束の引き込み位置を検出し、これらの２つの位置に調整することができる。本実施形態では、結束帯Ｂ１の巻付け位置は、複数の紙幣束を結束する大帯（第２帯）からずれる位置に調整されている。
【００８５】
図２０は、第１実施形態に係る紙葉類処理システム１における施封モジュール６０ａにより施封された１００枚の紙幣束（小束）１３０を示す図である。結束帯Ｂ１は、任意の位置に巻付けられ、また、結束帯Ｂ１に所望の情報１２４が印字されている。更に、結束帯Ｂ１の側面部、すなわち、紙幣束１３０の厚さ方向に延びる部分に、オペレータの確認印１２６を押してもよい。
【００８６】
図６に示すように、上記のように集積および施封された紙幣束１３０は、排出部７５に排出され、順次、積層して収納される。以上のように、施封モジュール６０ａは、メインモジュール１０から送られた正券、あるいは、装填庫３２から取り出され、装填モジュール３０から送られた正券を、金種毎に所定枚数ずつ施封し、施封された紙幣束を供給する。
【００８７】
図６に示すように、施封モジュール６０ａは、排出部７５に収納された紙幣束１３０を複数束積層し、大帯で結束して紙幣大束を形成する大束施封装置１１５を備えていてもよい。図２１Ａ及び図２１Ｂに示すように、大束施封装置１１５により、複数、例えば、１０束の紙幣束１３０が積層され、複数の結束帯（第２帯）Ｂ２で結束され、大束１４０が形成される。図２１Ａ及び図２１Ｂは、複数の小束を積層し、結束された紙幣大束を示す斜視図である。
【００８８】
図２１Ａに示す大束１４０は、長手方向に１本の結束帯Ｂ２で、横方向に２本の結束帯Ｂ２で結束されている。図２１Ｂに示す大束１４０は、長手方向に１本の結束帯Ｂ２で、横方向に１本の結束帯Ｂ２で結束されている。いずれの大束１４０においても、各小束１３０の結束帯Ｂ１は、大束１４０の結束帯Ｂ２からずれた位置、すなわち、結束帯Ｂ２と重ならない位置に巻付けられている。そのため、大束１４０において、各小束１３０の結束帯Ｂ１の側面部は、結束帯Ｂ２に隠れることなく大束の外面に露出している。これにより、大束１４０を形成した後に、各小束１３０の結束帯Ｂ１の側面部に、確認印１２６を押印することができる。あるいは、予め結束帯Ｂ１の側面部に確認印１２６を押印してある場合でも、大束１４０を形成後、確認印１２６を外側から視認することができる。
【００８９】
紙幣処理装置によれば、施封モジュールにより作成した小束を１０把（１０個の小束）集めて、大束施封装置により大帯おかけ大束に施封し、紙幣処理装置からの情報を記憶した無線タグ（ＲＦＩＤタグ）を大束に付け、紙幣処理装置と大束との間で情報をリンクするようにしてもよい。
図５に示すように、他の施封モジュール６０ｂ、６０ｃは、施封モジュール６０ａと同様に構成され、各施封モジュール６０ａ、６０ｂ、６０ｃの搬送路６２は、互いに連通して延びている。そして、メインモジュール１０あるいは装填モジュール３０から紙幣Ｐが任意の施封モジュール６０ａ、６０ｂ、６０ｃに送られ、集積、施封される。
全てのモジュールの最下流には、セーフティポケット７４が設けられている。各モジュールを搬送中に処理できなかった紙幣がある場合、この紙幣はセーフティポケット７４に排出され、装置から退避される。
【００９０】
なお、上記のように紙幣処理装置により紙幣の回収あるいは補充がされた装填庫３２は、処理後、装填モジュール３０から取外され、対応するＡＴＭに装着される。
バッチカード１１６を用いた紙幣群のバッチ処理は、以下の通り行う。
例えば、第１積層紙幣群（第１バッチ）と第２積層紙幣群（第２バッチ）とを処理する場合、図６に示すように、予め各入金バッチの最後尾にバッチカード（バーコード付）１１６を挿入した上で、複数バッチを積み重ね、積み重ねた紙幣群とバッチカードとを一括して処理装置の供給部１１にセットし、連続取込みを行う。
【００９１】
バッチカード１１６は、図１１に示したように、バーコード１１７により紙幣群（バッチ）の特徴的な番号等が印刷され、搬送路に設けたバーコードリーダによりバーコードを読み取り可能とする。載置面１１ｂに対向して、ＲＧＢセンサ２３が設けられ、このＲＧＢセンサ２３は、紙葉類の色を検知し、バッチカード１１６を検出する。バーコードリーダ１９は、鑑査装置１８ａを通過したバッチカード１１６に付されているバーコード１１７を読取り、その読取り情報を主制御部１２へ送る。なお、独立したバーコードリーダを設けることなく、鑑査装置１８ａにより、バーコードを読取る構成としてもよい。
【００９２】
鑑査装置１８ａは、バッチカード１１６の通過を検知し、入金バッチ間の境界を認識して該当入金の金額を計数する。バッチカード１１６は、鑑査装置１８ａおよびバーコードリーダ１９を通過した後、リジェクト部２０ａあるいは２０ｂに送られ、集積される。結果として、処理中にリジェクトされたリジェクト紙幣は、所属する入金バッチのバッチカード１１６と直前バッチのバッチカード１１６との間に集積されることになるため、各リジェクト紙幣の所属バッチが識別可能となる。バッチ処理において、リジェクト紙幣は、１回目の計数が完了した後に、供給部１１に再供給（再機械計数）することができる。
バッチ処理には、ｓｅｃｕｒｅ  ｃｏｎｔｉｎｕｏｕｓ  ｍｏｄｅ（セキュアコンティニュアスモード）と、ｆｕｌｌ  ｃｏｎｔｉｎｕｏｕｓ  ｍｏｄｅ（フルコンティニュアスモード）との２種類を選択可能に構成されている。
【００９３】
セキュアコンティニュアスモードは、バッチカードを紙幣群の最後尾に挿入することにより、複数バッチ間での処理動作を極力停止せずに連続処理を行う。バッチカードを検出後、計数確定まで次のバッチの取り込みを停止する。
フルコンティニュアスモードは、バッチカードを紙幣郡の最後尾に挿入することにより、複数バッチ間での処理を極力停止せず連続処理を行う。バッチカードを検出しても、次の取り込みを停止しない。
【００９４】
図２２は、第１実施形態に係る紙葉類処理システム１におけるバッチカードのデータを用いて紙幣処理を管理するバッチカードシステムの一例を概略的に示す図である。このシステムは、データベースサーバ１５０と、データベースサーバに接続されたプレパレーション・ステーション１５２およびリジェクト・手入力ステーション１５４と、を備えている。また、データベースサーバ１５０は、ユーザー・アプリケーション・コンピュータ１５６に接続され、このコンピュータは、ホストコンピュータ１５８にネットワーク接続されている。紙葉類処理装置の主制御部１２からバッチカード番号および機械計数データがデータベースサーバに送られる。
【００９５】
プレパレーション・ステーション１５２は、アカウント番号、バッチカード番号、伝票金額の登録を行い、これらのアカウント番号、バッチカード番号、伝票金額をデータベースサーバ１５０へ送るとともに、紙幣群の供給部１１への装填を指示する。リジェクト・手入力ステーション１５４では、リジェクト券の情報手入力、違算処理、偽券情報の入力、バッチカード番号の手入力等を行い、入力されたバッチカード番号、手入力計数をデータベースサーバ１５０へ送る。
【００９６】
データベースサーバ１５０は、紙葉類処理装置の主制御部１２から送られたバッチカード番号および機械計数データと、プレパレーション・ステーション１５２から送られたアカウント番号、バッチカード番号、伝票金額と、リジェクト・手入力ステーション１５４から入力されたバッチカード番号、手入力計数と、を計数照合し、その照合結果をプレパレーション・ステーション１５２およびリジェクト・手入力ステーション１５４に送る。これにより、バッチ処理された紙幣群の機械計数が正確に行われているか、バッチカード番号に応じて監視する。
【００９７】
一方、上述した紙幣処理おいて、いずれかで紙幣のジャムが発生した場合、以下の通りジャム処理を行う。ジャム発生時のオペレータの負担を形成するために、以下の要求を盛り込む。
【００９８】
ジャム発生時にメインモジュール１０の集積庫２２ａ〜２２ｄ、および施封モジュール６０ａ、６０ｂ、６０ｃのうち、搬送継続可能な部分は、紙幣の搬送を停止せず、集積庫および施封集積までの搬送を完了する。施封モジュールについては、紙幣Ｐ枚集積完了すれば施封動作を実施する。シフトミスは、発生部位の搬送ジャムとみなす。
施封モジュールは、モジュール内に進入済の紙幣については施封集積に搬送完了可能かつ施封集積が集積可能である場合、さらに加えて下流側の施封モジュールに搬送する紙幣については、下流側施封モジュールの搬送路が動作可能な場合、全ての紙幣の搬送を完了し、施封集積部の集積枚数が１００枚に到達した場合は施封動作を実施し、その後に停止する。１枚でも搬送完了が不可能な紙幣が有る場合は、即座に搬送を停止し、紙幣は持ち帰りとする。
【００９９】
施封モジュール内で集積した紙幣については、確-実に計数に反映させる。施封モジュール内でジャムが発生した場合、施封搬送を即時停止する。施封機構部は、所定枚数または１００枚集積した時に施封動作を完了させて把を排出後に停止する。施封を完了し、排出した分は、件数に反映させる。
【０１００】
オペレータが施封モジュール内のジャムによる残留紙幣を除去した後で、施封モジュール内の紙幣は、オペレータのテラー操作によりセーフティポケットに自動搬送され、セーフティポケットおよび両方の施封集積に集積されている紙幣は回収される。施封モジュール外でジャムが発生した場合、施封集積に搬送完了可能かつ施封集積が可能である場合、更に、下流側の施封モジュールに搬送する紙幣については、下流側の施封モジュールの搬送路が動作可能な場合、全ての紙幣の搬送を完了し、施封集積部の集積枚数が１００枚に到達した場合は施封動作を実施後に亭止する。この際、ジャム発生後の紙幣の搬送タイミングをチェックし、想定より時間が長いタイミングで紙幣が搬送された場台はジャムとする。この場合は施封集積に集積された紙幣は持ち帰りとする。
【０１０１】
１枚でも搬送完了が不可能な紙幣が有る場合は即座に搬送路を停止し、施封モジュール内の紙幣は持ち帰りとする。ただし、集積が不可能となった場合は、施封搬送を即時停止する。ジャム原因を除去した後、施封モジュール内で残留紙幣は、オペレータのテラー操作により施封集積に自動搬送され、両方の施封集積に集積されている紙幣は回収される。
オペレータのジャム処理後の作業を減らすために、残留紙幣自動排出を行ってもよい。この場合、搬送ジャム発生部位のジャム処理をオペレータが実施した後、残留紙幣を搬送路に残したまま、通常遠度で紙幣を搬送し、リジェクト庫、集積庫、セーフティポケットのいずれかに集積する。このとき集積される一時庫内の紙幣はすべて持ち帰る。操作はジャム解除後にオペレータのテラー操作によって行う。搬送ベルト外れ等の故障を起こさないように、搬送ジャム発生部位のドア開動作と搬送中の搬送監視を行う。
【０１０２】
以上のように構成された紙幣処理装置２によれば、ＡＴＭ３１から取外した装填庫３２を装填モジュール３０の装着部３４に装着することにより、装填庫内の紙幣を自動で紙幣処理装置２へ取込み整理することができる。また、装填庫３２から取出した紙幣を鑑査装置３８に通すことにより、券種、真偽、正損等の判別を行うことができ、装填庫へ紙幣を戻すことにより、装填庫内の有高を検出することができる。すなわち、装填庫３２内の紙幣を精査し、再度、装填庫に戻す精査処理を行うことができる。装填庫３２から取り出した紙幣を施封モジュール６０ａ〜６０ｃへ送ることで、１００枚小束に施封処理ができる。更に、自動取引装置３１の装填庫３２に装填機能がある場合、紙幣処理装置２に装填庫３２をセットすることにより、メインモジュールに１０に投入された紙幣を所望枚数、所望券種、装填庫に自動装填できる。そして、これらの各種処理は、装填庫３２の蓋を開けずに処理ができるため、セキュリティ性を高めることが可能となる。装填庫３２と紙幣処理装置との間で情報を受け渡すことができ、双方向で有高管理を行うことが可能となる。更に、必要に応じて取引ジャーナルを印字出力するジャーナルプリンタを装填モジュール３０に設け、この取引ジャーナルを装填庫３２に添付するようにしてもよい。
【０１０３】
装填モジュール３０に装着する装填庫３２が、出金専用の装填庫である場合、取出し装填機構によって、紙幣を直接的に装填庫に装填することができない。そこで、この場合には、装填モジュール３０に、装填庫から取出した紙幣、あるいは、メインモジュール１０から送られた紙幣を集積する一時集積部と、この一時集積部に集積された例えば、５００枚の紙幣を把持して装填庫３２に詰めるロボットハンドと、を設けることにより、装填処理を行うことができる。
メインモジュール１０の供給部１１は、鉛直方向に対して傾斜して設けられているため、載置された積層紙幣間の摩擦を低減し、紙幣取出し時のスリップ、連れ取り、２枚取り等を防止することができる。これにより、多量の紙幣を積層配置した場合でも、紙幣を１枚ずつ安定して取出し、処理することができ、信頼性の向上を図ることができる。また、供給部１１は、装置本体において、比較的低い位置に設けられていることから、供給部１１への紙葉類の装填作業を行い易くすることができる。
更に、異物が取込まれた場合でも、鑑査装置に運ばれる前にこの異物を排出、除去することができ、異物に起因する検査装置の損傷を防止し、紙幣処理装置の信頼性向上を図ることができる。
【０１０４】
次に、紙幣処理装置２の動作の一例を説明する。
図２３は、第１実施形態に係る紙葉類処理システム１における紙幣処理装置２の動作の処理手順のフローチャートである。
（ステップＳ１）紙幣処理装置２は、操作員の操作によって電源がオン状態になる。ＣＰＵ１２ａは、ステップＳ１が終了後、処理をステップＳ２に進める。
【０１０５】
（ステップＳ２）ＣＰＵ１２ａは、モニタ１５上にユーザＩＤとパスワードの入力を行う画面を表示する。操作員は、操作部１７を操作して、ユーザＩＤとパスワードを入力する。次に、ＣＰＵ１２ａは、メモリ１２ｂに記憶したユーザＩＤとパスワードの組み合わせと一致しているか否かを判別する。ＣＰＵ１２ａは、メモリ１２ｂに記憶したユーザＩＤとパスワードの組み合わせと一致していると判別した場合、処理をステップＳ３に進める。ＣＰＵ１２ａは、メモリ１２ｂに記憶したユーザＩＤとパスワードの組み合わせと一致していないと判別した場合、ステップＳ２の処理を繰り返す。なお、ＣＰＵ１２ａは、ステップＳ２を所定の回数繰り返しても、メモリ１２ｂに記憶したユーザＩＤとパスワードの組み合わせと一致していない場合、紙幣処理装置２の電源をオフ状態になるように制御してもよい。ＣＰＵ１２ａは、ステップＳ２が終了後、処理をステップＳ３に進める。
【０１０６】
（ステップＳ３）ＣＰＵ１２ａは、第２通信ポート１２ｄ及びネットワーク６を介して、メモリ１２ｂに予め記憶されているアドレスに接続する。次に、ＣＰＵ１２ａは、第２通信ポート１２ｄ及びネットワーク６を介して、保守サーバ４との通信を確立する。次に、ＣＰＵ１２ａは、メモリ１２ｂに記憶されている識別情報を読み出し、読み出した識別情報を、第２通信ポート１２ｄ及びネットワーク６を介して保守サーバ４に送信する。ＣＰＵ１２ａは、ステップＳ３が終了後、処理をステップＳ４に進める。
【０１０７】
（ステップＳ４）ＣＰＵ１２ａは、第２通信ポート１２ｄ及びネットワーク６を介して、保守サーバ４が送信した制御指示を受信する。ＣＰＵ１２ａは、ステップＳ４が終了後、処理をステップＳ５に進める。
（ステップＳ５）ＣＰＵ１２ａは、受信した制御指示に含まれる情報をモニタ１５上に表示させる。なお、モニタ１５上に表示される情報は、保守サービス契約を促す情報、保守サービス契約の更新を促す情報、紙幣処理装置２の最新のアプリケーションのバージョンを通知する情報、最新のアプリケーションのダウンロードを促す情報、定期メンテナンスを促す情報等である。ＣＰＵ１２ａは、ステップＳ５が終了後、処理をステップＳ６に進める。
【０１０８】
（ステップＳ６）ＣＰＵ１２ａは、受信した制御指示に、装置の機能を制限する指示が含まれているか否かを判別する。ＣＰＵ１２ａは、装置の機能を制限する指示が含まれていると判別した場合（ステップＳ６；ＹＥＳ）、ステップＳ７に進み、装置の機能を制限する指示が含まれていないと判別した場合（ステップＳ６；ＮＯ）、ステップＳ８に進む。
【０１０９】
（ステップＳ７）ＣＰＵ１２ａは、制御指示に含まれる制限内容に従って、紙幣処理装置２を動作させる。例えば、制御指示に含まれる制限内容が、第１通信ポート１２ｃの接続を遮断する指示の場合、ＣＰＵ１２ａは、第１通信ポート１２ｃの接続を遮断する。これにより、紙幣処理装置２は、集計サーバ３との接続が遮断される。ステップＳ７が終了後、ＣＰＵ１２ａは、紙幣処理装置２の動作の処理手順を終了する。
【０１１０】
（ステップＳ８）ＣＰＵ１２ａは、紙幣処理装置２を通常動作させる。次に、ＣＰＵ１２ａは、第２通信ポート１２ｂ及びネットワーク６を介して、保守サーバ４が送信した装置の使用状態情報を送信する指示を受信する。次に、ＣＰＵ１２ａは、第２通信ポート１２ｂ及びネットワーク６を介して、自装置の使用状態情報を保守サーバ４に送信する。ステップＳ８が終了後、ＣＰＵ１２ａは、紙幣処理装置２の動作の処理手順を終了する。
【０１１１】
次に、保守サーバ４の動作の一例を説明する。
図２４は、第１実施形態に係る紙葉類処理システム１における保守サーバ４の動作の処理手順のフローチャートである。
（ステップＳ１０１）保守制御部４０２は、ネットワーク６及び通信ポート４０１を介して、紙幣処理装置２が送信した識別情報を受信する。次に、保守制御部４０２は、受信した識別情報が記憶部４０３に記憶されていない場合、記憶部４０３に記憶させる。保守制御部４０２は、ステップＳ１０１が終了後、処理をステップＳ１０２に進める。
【０１１２】
（ステップＳ１０２）保守制御部４０２は、受信した受信した識別情報が記憶部４０３に記憶されているか否かを判別する。受信した識別情報が記憶部４０３に記憶されていないと判別した場合、保守制御部４０２は、新規顧客であるため、保守サービス契約が結ばれていないと判別（ステップＳ１０２；ＮＯ）して、ステップＳ１０３に進む。また、保守制御部４０２は、受信した識別情報が記憶部４０３に記憶されている場合、識別情報に保守サービス契約が結ばれていることを示す情報が関連付けられて記憶されているか否かを判別する。保守制御部４０２は、識別情報に保守サービス契約が結ばれていることを示す情報が関連付けられて記憶されていると判別された場合、保守サービス契約が結ばれていると判別（ステップＳ１０２；ＹＥＳ）して、ステップＳ１０４に進む。保守制御部４０２は、識別情報に保守サービス契約が結ばれていることを示す情報が関連付けられて記憶されていないと判別された場合、保守サービス契約が結ばれていないと判別（ステップＳ１０２；ＮＯ）して、ステップＳ１０３に進む。
【０１１３】
（ステップＳ１０３）保守制御部４０２は、通信ポート４０１及びネットワーク６を介して、制御指示を紙幣処理装置２に送信する。なお、送信する制御情報には、保守サービス契約を促す情報、装置の機能を制限する指示等が含まれている。ステップＳ１０３が終了後、保守制御部４０２は、保守サーバ４の動作の処理手順を終了する。
【０１１４】
（ステップＳ１０４）保守制御部４０２は、通信ポート４０１及びネットワーク６を介して、装置の使用状態情報を送信する指示を紙幣処理装置２に送信する。次に、保守制御部４０２は、紙幣処理装置２が送信した装置の使用状態情報を受信する。次に、保守制御部４０２は、受信した装置の使用状態情報を、記憶部４０３に記憶されている識別情報と関連付けて記憶させる。保守制御部４０２は、ステップＳ１０４が終了後、処理をステップＳ１０５に進める。
【０１１５】
（ステップＳ１０５）保守制御部４０２は、受信した装置の使用状態情報に含まれる装置の型番と、記憶部４０３に記憶されている情報に基づいて、受信した装置に応じた最新のアプリケーションのバージョンを示す情報を含む制御指示を生成する。また、保守制御部４０２は、受信した装置情報に含まれる稼働時間に基づいて、定期メンテナンスを促す情報を含む制御指示を生成する。また、保守制御部４０２は、受信した装置情報に含まれるエラー情報に基づいて、メンテナンスを促す情報を含む制御指示を生成する。次に、保守制御部４０２は、通信ポート４０１及びネットワーク６を介して、制御指示を紙幣処理装置２に送信する。ステップＳ１０５が終了後、保守制御部４０２は、保守サーバ４の動作の処理手順を終了する。
【０１１６】
次に、モニタ１５上に表示される情報の例を説明する。
まず、保守サービス契約が結ばれているときにモニタ１５上に表示される情報を説明する。図２５は、第１実施形態に係る紙葉類処理システム１における保守サービス契約が結ばれているときにモニタ１５上に表示される情報の一例を示す図である。
図２５において、画像５０１は、保守サービス契約が結ばれているときにモニタ１５上に表示される情報を示す画像である。符号５０１１が示す領域の画像は、最新のアプリケーションのバージョンを通知する情報を示す画像である。符号５０１２が示す領域の画像は、ダウンロードを促すアプリケーションのバージョンを示す画像である。符号５０１３が示す領域の画像は、ダウンロードを行うボタンの画像である。
管理者または操作員は、このような情報がモニタ１５上に表示された場合、操作部１７を操作することによってボタンの画像５０１３を選択して、最新のアプリケーションをダウンロードする。
【０１１７】
次に、保守サービス契約が結ばれていないときにモニタ１５上に表示される情報を説明する。図２６は、第１実施形態に係る紙葉類処理システム１における保守サービス契約が結ばれていないときにモニタ１５上に表示される情報の一例を示す図である。
図２６において、画像５１１は、保守サービス契約が結ばれていないときにモニタ１５上に表示される情報を示す画像である。符号５１１１が示す領域の画像は、最新のアプリケーションのバージョンを通知する情報を示す画像である。符号５１１２が示す領域の画像は、アプリケーションのダウンロードのために保守サービス契約を促す情報を示す画像である。符号５１１３が示す領域の画像は、保守サービス契約を申し込む処理に進むボタンの画像である。符号５１１４が示す領域の画像は、保守サービス契約を申し込まず、機能制限がかかったまま装置を利用するボタンの画像である。符号５１１５が示す領域の画像は、保守サービス契約を申し込まずに使用した場合に、利用できる機能を説明する情報を表示する画面に進むボタンの画像である。
【０１１８】
管理者または操作員は、このような情報がモニタ１５上に表示された場合、操作部１７を操作することによってボタンの画像５１１４を選択して、機能制限された状態でトライアル使用する。なお、このように機能制限付きで装置が使用された場合、ＣＰＵ１２ａは、第２通信ポート１２ｄ及びネットワーク６を介して、トライアル使用されたことを示す情報を保守サーバ４に送信するようにしてもよい。または、ＣＰＵ１２ａは、メモリ１２ｂにトライアル使用された回数を記憶させておき、第２通信ポート１２ｄ及びネットワーク６を介して、記憶させたトライアル回数を示す情報を保守サーバ４に送信するようにしてもよい。
【０１１９】
以上のように、本実施形態に係る紙葉類処理システム１は、自装置を識別する識別情報を、ネットワーク６を介して接続されている保守サーバ４に送信し、保守サーバ４から受信した制御指示に応じて、自装置の動作を制御する紙葉類処理装置（紙幣処理装置２）と、紙葉類処理装置（紙幣処理装置２）の識別情報を取得し、取得した識別情報に基づいて紙葉類処理装置（紙幣処理装置２）の動作を制御するための制御指示を、ネットワーク６を介して紙葉類処理装置（紙幣処理装置２）に送信する保守サーバ４と、を備える。
【０１２０】
この構成により、本実施形態に係る紙葉類処理システム１は、保守サーバ４は、受信した識別情報に基づいて、識別情報に対応する紙幣処理装置２の状態を判別して、判別した結果に応じた装置の制御指示を紙幣処理装置２に送信することができる。そして、本実施形態に係る紙葉類処理システム１では、保守サービス契約が行われていない場合に、紙幣処理装置２に対して機能制限を行う制御指示を紙幣処理装置２に送信する。そして、紙幣処理装置２は、受信した制御指示に応じて、自装置を制御する。従って、本実施形態に係る紙葉類処理システム１では、利用者や使用地域等に応じて装置の利用を制限することができる。
【０１２１】
（第２実施形態）
第１実施形態では、紙幣処理装置２が保守サーバ４に、ネットワーク６を介して、自装置の識別情報を送信する例を説明した。第２実施形態では、紙幣処理装置２Ａまたは装置のモジュールが備える通信装置から、装置に関する情報を、無線通信を用いて保守サーバ４Ａに送信する例を説明する。
【０１２２】
図２７は、第２実施形態に係る紙葉類処理システム１Ａのシステム構成を概略的に示す図である。なお、第１実施形態の紙葉類処理システム１と同じ機能を有する装置には、同じ符号を用いて説明を省略する。
【０１２３】
図２７に示すように、紙葉類処理システム１Ａは、紙幣処理装置２Ａ−１〜２Ａ−ｎ（ｎは１以上の整数）、集計サーバ３、及び保守サーバ４Ａを備えている。なお、紙幣処理装置２Ａ−１〜２Ａ−ｎのうち、特定しない場合は、単に紙幣処理装置２Ａという。また、紙幣処理装置２Ａと集計サーバ３とは、ネットワーク５を介して接続されている。また、紙幣処理装置２Ａと保守サーバ４Ａとは、ネットワーク６を介して接続されている。さらに、紙幣処理装置２Ａと保守サーバ４Ａとは、無線ネットワーク７を介して接続されている。無線ネットワーク７は、例えば、３Ｇ（第３世代移動通信システム）方式の無線ネットワークである。
なお、図２７に示した例では、紙幣処理装置２Ａが複数の例を示しているが、紙幣処理装置２Ａは、１つ以上であればよい。また、ネットワーク５及びネットワーク６は、有線ネットワークであっても無線ネットワークであってもよい。
【０１２４】
紙幣処理装置２Ａは、装置に投入された紙幣の判別及び計数を行う。紙幣処理装置２Ａは、計数した金額を示す計数金額情報を、ネットワーク５を介して集計サーバ３に送信する。
また、紙幣処理装置２Ａは、電源がオン状態になったとき、自装置が使用されている位置を示す位置情報を、無線ネットワーク７を介して保守サーバ４に送信する。また、紙幣処理装置２Ａは、電源がオン状態になったとき、自装置を識別する識別情報を、ネットワーク６を介して保守サーバ４に送信する。なお、紙幣処理装置２Ａは、無線ネットワーク７を介して、識別情報と位置情報とを保守サーバ４Ａに送信するようにしてもよい。
また、紙幣処理装置２Ａは、ネットワーク６を介して保守サーバ４Ａが送信した制御指示を受信し、受信した制御指示に応じて自装置を制御する。
【０１２５】
保守サーバ４Ａは、無線ネットワーク７を介して紙幣処理装置２Ａが送信した位置情報を取得する。保守サーバ４Ａは、ネットワーク６を介して紙幣処理装置２Ａが送信した識別情報を取得する。そして、保守サーバ４Ａは、取得した識別情報と位置情報とを、保守サーバ４Ａが備える記憶部に記憶させる。なお、紙幣処理装置２Ａの識別情報は、保守サーバ４Ａの管理者または利用者が入力して、記憶部に記憶させるようにしてもよい。または、記憶部には、予め複数の紙幣処理装置２Ａに対応する識別情報が記憶されていてもよい。
【０１２６】
保守サーバ４Ａは、受信した識別情報及び位置情報と、記憶部に記憶されている情報とに基づいて、受信した識別情報に対応する紙幣処理装置２Ａが使用されている国や地域を判別する。保守サーバ４Ａは、位置情報が使用を許可していない国や地域であると判別された場合、紙幣処理装置２Ａの機能を制限する制御信号を生成し、ネットワーク６または無線ネットワーク７を介して、生成した制御信号を紙幣処理装置２Ａに送信する。ここで、紙幣処理装置２Ａの機能の制限とは、例えば、紙幣処理装置２Ａを使用させない（電源をオフ状態にさせる）、紙幣処理装置２Ａのモジュールを動作させない、集計サーバ３に接続されているネットワーク５を遮断して使用させる等の制限である。
【０１２７】
また、保守サーバ４Ａは、受信した識別情報と記憶部に記憶されている情報とに基づいて、受信した識別情報に対応する紙幣処理装置２Ａの使用状態を判別する。
保守サーバ４Ａは、保守サービス契約が行われているか否かを示す保守情報を、識別情報と関連付けて記憶部に記憶させる。保守サーバ４Ａは、識別情報を受信した場合、受信した識別情報に対応する紙幣処理装置２Ａに対して、保守サービス契約が結ばれているか否かを記憶部に記憶されている情報に基づいて判別する。そして、保守サーバ４Ａは、判別した結果に基づいて、紙幣処理装置２Ａの使用状態を判別する。
保守サーバ４Ａは、判別した使用状態に応じて紙幣処理装置２Ａの動作を制限するための制限レベルを決定し、決定した制限レベルに紙幣処理装置２Ａを制御する制御指示を生成する。そして、保守サーバ４Ａは、ネットワーク６を介して、生成した制御指示を紙幣処理装置２Ａに送信する。
【０１２８】
図２８は、第２実施形態に係る紙幣処理システムの保守サーバ４Ａを概略的に示すブロック図である。
図２８に示すように、保守サーバ４Ａは、通信ポート４０１、保守制御部４０２Ａ、記憶部４０３Ａ、及び無線通信部４０４を備えている。なお、第１実施形態の保守サーバ４と同じ機能を有する装置には、同じ符号を用いて説明を省略する。
【０１２９】
無線通信部４０４は、例えば、３Ｇ方式の通信を行う装置である。無線通信部４０４は、無線ネットワーク７を介して紙幣処理装置２Ａが送信した位置情報を受信し、受信した位置情報を保守制御部４０２Ａに出力する。
【０１３０】
保守制御部４０２Ａは、無線通信部４０４から入力された位置情報を記憶部４０３Ａに記憶させる。また、保守制御部４０２Ａは、通信ポート４０１から入力された識別情報を記憶部４０３Ａに記憶させる。そして、保守制御部４０２Ａは、受信した識別情報及び位置情報と、記憶部４０３に記憶されている情報とに基づいて、受信した識別情報に対応する紙幣処理装置２Ａが使用されている国や地域を判別する。保守制御部４０２Ａは、位置情報が使用を許可していない国や地域であると判別された場合、紙幣処理装置２Ａの機能を制限する制御信号を生成し、ネットワーク６または無線ネットワーク７を介して、生成した制御信号を紙幣処理装置２Ａに送信する。
【０１３１】
保守制御部４０２Ａは、通信ポート４０１から入力された情報を記憶部４０３に記憶させる。保守制御部４０２Ａは、受信した識別情報と記憶部４０３Ａに記憶されている情報とに基づいて、受信した識別情報に対応する紙幣処理装置２Ａが保守サービス契約を結んでいるか否かを判別する。
また、保守制御部４０２Ａは、受信した情報に含まれる使用状態情報を抽出する。保守制御部４０２Ａは、抽出した使用状態情報、及び保守サービス契約を結んでいるか否かを判別した結果に基づいて、制御指示を生成する。保守制御部４０２Ａは、生成した制御指示を通信ポート４０１に出力する。
【０１３２】
記憶部４０３Ａは、識別情報、位置情報、保守サービス契約に関する情報（保守情報）、プログラムのバージョンを示す情報、稼働時間を示す情報、処理枚数を示す情報、装置の処理結果を示す情報、エラー情報、操作員毎の生産性に関する情報、顧客の生産性に関する情報等が関連付けられた情報を記憶する。なお、記憶部４０３Ａに記憶される情報は、装置の管理者や操作員によって入力された情報であってもよい。または、予め作成された情報が、記憶部に予め記憶されていてもよい。
【０１３３】
図２９は、第２実施形態に係る紙葉類処理システム１Ａの紙幣処理装置２Ａを概略的に示すブロック図である。図２９に示すように、紙幣処理装置２Ａは、メインモジュール１０Ａ、装填モジュール３０、及び施封モジュール６０ａを備えている。メインモジュール１０Ａは、主制御部１２及び鑑査モジュール１８Ａを含んで構成される。なお、第１実施形態の紙幣処理装置２と同じ機能を有する装置には、同じ符号を用いて説明を省略する。
【０１３４】
鑑査モジュール１８Ａは、鑑査装置１８ａ、ＧＰＳ（Ｇｌｏｂａｌ  Ｐｏｓｉｔｉｏｎｉｎｇ  Ｓｙｓｔｅｍ；グローバル・ポジショニング・システム）１８ｂ、及び通信部１８ｃを備えている。なお、鑑査装置１８ａ、ＧＰＳ１８ｂ、及び通信部１８ｃには、紙幣処理装置２Ａの電源がオン状態になった後、電源が供給される。
【０１３５】
ＧＰＳ１８ｂは、紙幣処理装置２Ａの電源がオン状態になった後、ＧＰＳ衛星からの情報を受信し、受信した情報に基づいて、紙幣処理装置２Ａが使用されている位置の位置情報を測位する。ＧＰＳ１８ｂは、測位した位置情報を通信部１８ｃに出力する。
通信部１８ｃは、ＧＰＳ１８ｂから入力された位置情報を、無線ネットワーク７を介して、保守サーバ４Ａに送信する。通信部１８ｃは、例えば、３Ｇ方式の通信を行う装置である。
【０１３６】
なお、図２９に示した例では、鑑査モジュール１８ＡにＧＰＳ及び通信部を備える例を説明したが、これに限られない。保守サービスにおいて提供される各モジュール、及び監査装置３８等がＧＰＳ及び通信部を備えるようにしてもよい。または、紙幣処理装置２Ａが、ＧＰＳ及び通信部を備えるようにしてもよい。
【０１３７】
次に、紙幣処理装置２Ａの動作の一例を説明する。
図３０は、第２実施形態に係る紙葉類処理システム１Ａにおける紙幣処理装置２Ａの動作の処理手順のフローチャートである。
（ステップＳ２０１〜２０３）ＣＰＵ１２ａは、ステップＳ２０１〜Ｓ２０３を、ステップＳ１〜Ｓ３（図２３参照）と同様に行う。ＣＰＵ１２ａは、ステップＳ２０３が終了後、処理をステップＳ２０４に進める。
【０１３８】
（ステップＳ２０４）ＧＰＳ１８ｂは、位置情報を測位する。ＧＰＳ１８ｂは、ステップＳ２０４が終了後、処理をステップＳ２０５に進める。
（ステップＳ２０５）通信部１８ｃは、ＧＰＳ１８ｂから入力された位置情報を、無線ネットワーク７を介して、保守サーバ４Ａに送信する。通信部１８ｃは、ステップＳ２０５が終了後、処理をステップＳ２０６に進める。
【０１３９】
（ステップＳ２０６〜Ｓ２１０）ＣＰＵ１２ａは、ステップＳ２０６〜Ｓ２１０を、ステップＳ４〜Ｓ８（図２３参照）と同様に行う。
ステップＳ２１０が終了後、ＣＰＵ１２ａは、紙幣処理装置２Ａの動作の処理手順を終了する。
【０１４０】
次に、保守サーバ４Ａの動作の一例を説明する。
図３１は、第２実施形態に係る紙葉類処理システム１Ａにおける保守サーバ４Ａの動作の処理手順のフローチャートである。
（ステップＳ３０１）保守制御部４０２Ａは、ステップＳ１０１（図２４参照）と同様の処理を行う。保守制御部４０２Ａは、ステップＳ３０１が終了後、処理をステップＳ３０２に進める。
【０１４１】
（ステップＳ３０２）保守制御部４０２Ａは、無線ネットワーク７及び無線通信部４０４を介して、紙幣処理装置２が送信した位置情報を受信する。保守制御部４０２Ａは、ステップＳ３０２が終了後、処理をステップＳ３０３に進める。
【０１４２】
（ステップＳ３０３）保守制御部４０２Ａは、受信した受信した識別情報及び位置情報と、記憶部４０３に記憶されている情報とに基づいて、紙幣処理装置２Ａの使用が許可されている国や地域であるか否かを判別する。なお、保守制御部４０２Ａは、紙幣処理装置２Ａの型番を示す情報も取得し、取得した装置の型番を示す情報及び位置情報と、記憶部４０３に記憶されている情報とに基づいて、紙幣処理装置２Ａの使用が許可されている国や地域であるか否かを判別するようにしてもよい。
保守制御部４０２Ａは、使用が許可されている国や地域であると判別した場合（ステップＳ３０３；ＹＥＳ）、ステップＳ３０５に進み、使用が許可されていない国や地域であると判別した場合（ステップＳ３０３；ＮＯ）、ステップＳ３０４に進む。
【０１４３】
（ステップＳ３０４）保守制御部４０２Ａは、例えば、装置の電源をオフ状態にする指示を含む制御指示を生成する。保守制御部４０２Ａは、通信ポート４０１及びネットワーク６を介して、生成した制御指示を紙幣処理装置２Ａに送信する。なお、送信する制御情報には、装置の使用が許可されていない国や地域であることを警告する情報等が含まれている。ステップＳ３０４が終了後、保守制御部４０２Ａは、保守サーバ４Ａの動作の処理手順を終了する。
【０１４４】
（ステップＳ３０５〜Ｓ３０８）保守制御部４０２Ａは、ステップＳ１０２〜Ｓ１０５（図２４）と同様の処理を行う。
ステップＳ２１０が終了後、ＣＰＵ１２ａは、紙幣処理装置２Ａの動作の処理手順を終了する。
【０１４５】
次に、モニタ１５上に表示される情報の例を説明する。
図３１は、第２実施形態に係る紙葉類処理システム１Ａのモニタ１５上に表示される装置の使用が許可されていない国や地域であることを警告する情報の一例を示す図である。
図３１において、画像５２１は、モニタ１５上に表示される装置の使用が許可されていない国や地域であることを警告する情報を示す画像である。符号５２１１が示す領域の画像は、利用が許可されていない地域であることを警告する情報を示す画像である。符号５２１２が示す領域の画像は、自動的に電源をオフ状態にすることを警告する情報を示す画像である。
【０１４６】
以上のように、本実施形態に係る紙葉類処理システム１Ａでは、紙幣処理装置２ＡがＧＰＳ１８ｂ及び通信部１８ｃを備え、紙幣処理装置２Ａが使用されている位置情報を送信する。これにより、本実施形態の紙葉類処理システム１Ａでは、保守サーバ４Ａが取得した位置情報によって、使用が許可されていない国や地域である場合、紙幣処理装置２Ａの電源をオフ状態に制御する制御情報を紙幣処理装置２Ａに送信するようにした。この結果、紙葉類処理システム１Ａの管理者は、紙幣処理装置２Ａの使用が許可されていない国や地域である場合、保守サーバ４Ａが紙幣処理装置２Ａを使用できないように制御しているため、利用者や使用地域等に応じて装置の利用を制限することができる。
【０１４７】
なお、第２実施形態では、紙幣処理装置２ＡまたはモジュールがＧＰＳと通信部を備える例を説明したが。これに限られない。紙幣処理装置２Ａまたはモジュールは、通信部のみ備えるようにしてもよい。この場合、通信部は、基地局から取得した基地局の位置情報を、紙幣処理装置２Ａが使用されている位置情報として保守サーバ４Ａに送信するようにしてもよい。この場合であっても、使用が禁止されている国や地域で紙幣処理装置２Ａが使用されているか否かを、保守サーバ４Ａは取得した位置情報に基づいて判別することができる。
【０１４８】
なお、第１実施形態及び第２実施形態では、主制御部１２が、メインモジュール１０に組み込まれている例を説明したが、これに限られない。主制御部１２は、メインモジュール１０と電気的に接続されていればよい。
【０１４９】
また、第１実施形態及び第２実施形態では、紙葉類処理システム１（または１Ａ）に紙幣処理装置２（または２Ａ）が１つ接続されている場合の動作例を説明したが、紙葉類処理システム１（または１Ａ）に接続される紙幣処理装置２（または２Ａ）は図１に示たように複数であってもよい。この場合、ｎ個（ｎは１以上の整数）の紙幣処理装置２−１〜２−ｎ（または２Ａ−１〜２Ａ−ｎ）は各々、電源がオン状態になった後、ネットワーク６を介して保守サーバ４（または４Ａ）に識別情報を送信するようにしてもよい。
【０１５０】
または、ｎ個の紙幣処理装置２−１〜２−ｎ（または２Ａ−１〜２Ａ−ｎ）は、第１通信ポート１２ｃ及びネットワーク５によって、デイジーチェーン接続されていてもよく、ｎ個の紙幣処理装置２−１〜２−ｎ（または２Ａ−１〜２Ａ−ｎ）のうち１台のみが、ネットワーク６を介して保守サーバ４（または４Ａ）と接続されていてもよい。この場合、保守サーバ４（または４Ａ）に接続されていない紙幣処理装置２−１〜２−ｎ（または２Ａ−１〜２Ａ−ｎ）は、保守サーバ４（または４Ａ）と接続されている紙幣処理装置２（または２Ａ）に、ネットワーク５を介して識別情報を送信するようにしてもよい。そして、保守サーバ４（または４Ａ）に接続されている紙幣処理装置２（または２Ａ）は、ｎ個の紙幣処理装置２−１〜２−ｎ（または２Ａ−１〜２Ａ−ｎ）の全ての識別情報を保守サーバ４（または４Ａ）に送信するようにしてもよい。
【０１５１】
以上述べた少なくともひとつの実施形態の紙葉類処理システム１（または１Ａ）によれば、紙葉類処理装置２（及び２Ａ）から取得した識別情報に基づいて紙葉類処理装置２（及び２Ａ）の動作を制御するための制御指示を、ネットワーク６を介して紙葉類処理装置２（及び２Ａ）に送信する保守サーバ４（または４Ａ）を持つことにより、好ましくない利用者に利用されてしまうことに対して装置の利用を制限することが可能になる。
【０１５２】
なお、第１実施形態及び第２実施形態において、接続するモジュールの数は、実施形態に限定されることなく、必要に応じて、増減可能であり、モジュールの種類も種々選択可能である。
また、第１実施形態及び第２実施形態では、紙幣を処理する例を説明したが、これに限られない。処理する紙葉類は、紙幣、バッチカードに限定されることなく、カジノカード、有価証券等の他の紙葉類にも適用してもよい。
【０１５３】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【０１５４】
なお、本発明における紙幣処理装置２（及び２Ａ）、保守サーバ４（及び４Ａ）の機能を実現するためのプログラムをコンピュータ読み取り可能な記録媒体に記録して、この記録媒体に記録されたプログラムをコンピュータシステムに読み込ませ、実行することにより処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【０１５５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【０１５６】
１、１Ａ…紙葉類処理システム、２、２−１〜２−ｎ、２Ａ、２Ａ−１〜２Ａ−ｎ…紙幣類処理装置、３…集計サーバ、４、４Ａ…保守サーバ、５…ネットワーク、６…ネットワーク、７…無線ネットワーク、１０…メインモジュール、１２…主制御部、１２ａ…ＣＰＵ、１２ｂ…メモリ、１２ｃ…第１通信ポート、１２ｄ…第２通信ポート、１８…鑑査モジュール、１８ａ…鑑査装置、１８ｂ…ＧＰＳ、１８ｃ…通信部、４０１…通信ポート、４０２、４０２Ａ…保守制御部、４０３、４０３Ａ…記憶部、４０４…無線通信部、Ｐ…紙幣
【図１】
2015056062.tif 000003
【図２】
2015056062.tif 000004
【図３】
2015056062.tif 000005
【図４】
2015056062.tif 000006
【図５】
2015056062.tif 000007
【図６】
2015056062.tif 000008
【図７】
2015056062.tif 000009
【図８】
2015056062.tif 000010
【図９】
2015056062.tif 000011
【図１０Ａ】
2015056062.tif 000012
【図１０Ｂ】
2015056062.tif 000013
【図１１】
2015056062.tif 000014
【図１２】
2015056062.tif 000015
【図１３】
2015056062.tif 000016
【図１４Ａ】
2015056062.tif 000017
【図１４Ｂ】
2015056062.tif 000018
【図１５】
2015056062.tif 000019
【図１６】
2015056062.tif 000020
【図１７】
2015056062.tif 000021
【図１８】
2015056062.tif 000022
【図１９Ａ】
2015056062.tif 000023
【図１９Ｂ】
2015056062.tif 000024
【図２０】
2015056062.tif 000025
【図２１Ａ】
2015056062.tif 000026
【図２１Ｂ】
2015056062.tif 000027
【図２２】
2015056062.tif 000028
【図２３】
2015056062.tif 000029
【図２４】
2015056062.tif 000030
【図２５】
2015056062.tif 000031
【図２６】
2015056062.tif 000032
【図２７】
2015056062.tif 000033
【図２８】
2015056062.tif 000034
【図２９】
2015056062.tif 000035
【図３０】
2015056062.tif 000036
【図３１】
2015056062.tif 000037
【図３２】
2015056062.tif 000038